(57)【要約】      （修正有）【課題】新たに生成する印刷データを、効率よく記憶装置に記憶させることができるようにすることを目的とする。【解決手段】ＲＩＰ装置３と、ＳＳＤ５及びＳＳＤ６と、プリンター２とを備える印刷システム１であって、ＲＩＰ装置３は、プリンター２にＳＳＤ５、及び、ＳＳＤ６が接続し、接続するＳＳＤ５及びＳＳＤ６が１の印刷データを分けて記憶する場合において、新印刷データを生成する際、ＳＳＤ５及びＳＳＤ６のうち空き記憶装置を、プリンター２に問い合わせ、プリンター２は、接続するＳＳＤ５及びＳＳＤ６のそれぞれの記憶領域を管理し、接続するＳＳＤ５及びＳＳＤ６のうち空き記憶装置がある場合、空き記憶装置をＲＩＰ装置３装置に通知し、ＲＩＰ装置３は、ＳＳＤ５及びＳＳＤ６のうち、プリンター２から通知された空き記憶装置と接続し、接続した空き記憶装置に新印刷データを記憶させる。【選択図】図１
2018158462.tif 000002
【特許請求の範囲】
【請求項１】
印刷データを生成する画像処理装置と、前記画像処理装置が生成した前記印刷データを
記憶する複数の記憶装置と、前記記憶装置が記憶する前記印刷データに基づいて印刷を実
行する印刷装置とを備える印刷システムであって、
前記画像処理装置は、
前記印刷装置に複数の前記記憶装置が接続し、接続する複数の前記記憶装置が１の前記
印刷データを分けて記憶する場合において、新たに前記印刷データを生成する際、複数の
前記記憶装置のうち記憶領域に空き領域を有する前記記憶装置である空き記憶装置を、前
記印刷装置に問い合わせ、
前記印刷装置は、
接続する複数の前記記憶装置のそれぞれの記憶領域を管理し、接続する複数の前記記憶
装置のうち前記空き記憶装置がある場合、前記空き記憶装置を前記画像処理装置に通知し
、
前記画像処理装置は、
前記印刷装置に接続する複数の前記記憶装置のうち、前記印刷装置から通知された前記
空き記憶装置と接続し、接続した前記空き記憶装置に新たに生成する前記印刷データを記
憶させる
印刷システム。
【請求項２】
前記印刷装置は、
複数の前記記憶装置のうち、１の前記記憶装置の記憶領域に空き領域を有し、前記１の
前記記憶装置と異なる他の前記記憶装置が記憶する前記印刷データが、前記１の前記記憶
装置の空き領域に記憶可能である場合、前記他の前記記憶装置が記憶する前記印刷データ
を、前記１の前記記憶装置の空き領域に移し、
前記印刷データを前記１の前記記憶装置の空き領域に移した前記他の前記記憶装置を前
記空き記憶装置として、前記画像処理装置に通知し、
前記画像処理装置は、
前記印刷装置と接続する複数の前記記憶装置のうち、前記印刷装置から前記空き記憶装
置として通知された前記他の前記記憶装置と接続し、接続した前記他の前記記憶装置に新
たに生成する前記印刷データを記憶させる
請求項１に記載の印刷システム。
【請求項３】
前記印刷装置は、
複数の前記記憶装置のうち、１の前記記憶装置を前記空き記憶装置として前記画像処理
装置に通知し、
前記画像処理装置は、
前記印刷装置に接続する複数の前記記憶装置のうち、前記印刷装置から前記空き記憶装
置として通知された前記１の前記記憶装置と接続し、新たに生成する前記印刷データのう
ち、前記１の前記記憶装置の空き領域分の前記印刷データを生成して接続した前記１の前
記記憶装置に記憶させ、
前記印刷装置は、
前記１の前記記憶装置が空き領域分の前記印刷データを記憶した後、前記１の前記記憶
装置と異なる他の前記記憶装置の記憶領域が空き領域になった場合、前記他の前記記憶装
置を前記空き記憶装置として前記画像処理装置に通知し、
前記画像処理装置は、
前記印刷装置に接続する複数の前記記憶装置のうち、前記空き記憶装置として通知され
た前記他の前記記憶装置と接続し、新たに生成する前記印刷データのうち、前記１の前記
記憶装置の空き領域分の前記印刷データ以外の前記印刷データを生成して、接続した前記
他の前記記憶装置に記憶させる
請求項１に記載の印刷システム。
【請求項４】
前記画像処理装置は、
前記印刷装置に接続する前記空き記憶装置を、前記印刷装置から前記画像処理装置に接
続を切り替えることを指示する情報を報知する
請求項１から３のいずれか一項に記載の印刷システム。
【請求項５】
前記印刷装置は、
前記空き記憶装置が前記印刷装置から前記画像処理装置に接続が切り替えられなかった
場合、当該印刷データに基づく印刷を実行していないことを示す情報を報知する
請求項１から４のいずれか一項に記載の印刷システム。
【請求項６】
前記画像処理装置は、
前記空き記憶装置が前記印刷装置から前記画像処理装置に接続が切り替えられなかった
場合、新たな前記印刷データの生成を実行せず、新たな前記印刷データの生成を実行して
いないことを示す情報を報知する
請求項１から５のいずれか一項に記載の印刷システム。
【請求項７】
印刷データを生成する画像処理装置と、前記画像処理装置が生成した前記印刷データを
記憶する複数の記憶装置と、前記記憶装置が記憶する前記印刷データに基づいて印刷を実
行する印刷装置とを備える印刷システムの制御方法であって、
前記画像処理装置は、
前記印刷装置に複数の前記記憶装置が接続し、接続する複数の前記記憶装置が１の前記
印刷データを分けて記憶する場合において、新たに前記印刷データを生成する際、複数の
前記記憶装置のうち記憶領域に空き領域を有する前記記憶装置である空き記憶装置を、前
記印刷装置に問い合わせ、
前記印刷装置は、
接続する複数の前記記憶装置のそれぞれの記憶領域を管理し、接続する複数の前記記憶
装置のうち前記空き記憶装置がある場合、前記空き記憶装置を前記画像処理装置に通知し
、
前記画像処理装置は、
前記印刷装置に接続する複数の前記記憶装置のうち、前記印刷装置から通知された前記
空き記憶装置と接続し、接続した前記空き記憶装置に新たに生成する前記印刷データを記
憶する
印刷システムの制御方法。
【請求項８】
画像処理装置が生成した印刷データを記憶する複数の記憶部と、
前記記憶部の接続を切り替える切替部と、
前記切替部を制御する制御部と、
前記記憶部が記憶する前記印刷データに基づいて印刷を実行する印刷部と、を備え、
前記制御部は、
複数の前記記憶部のうち、記録領域に空き領域を有する前記記憶部である空き記憶部を
特定し、
前記複数の前記記憶部が１の前記印刷データを分けて記憶する場合において、前記画像
処理装置が新たに前記印刷データを生成する際に、前記切替部により特定した前記空き記
憶部の接続先を前記画像処理装置に切り替え、新たに生成される前記印刷データを前記空
き記憶部に記憶させる、
印刷装置。
【発明の詳細な説明】
【技術分野】
【０００１】
本発明は、印刷システム、印刷システムの制御方法、及び、印刷装置に関する。
【背景技術】
【０００２】
従来、複数の記憶領域が記憶するデータに基づいて処理を実行する技術が知られている
（例えば、特許文献１参照）。特許文献１では、複数の記憶部を備える記憶装置を備え、
単独のジョブデータを処理する第１モードと、複数のジョブデータを処理する第２モード
との動作モードを有し、第１モードと第２モードとの間でデータを読み出す記憶装置を異
ならせる画像形成装置を開示する。
【先行技術文献】
【特許文献】
【０００３】
【特許文献１】特開２０１２−１６５２２９号公報
【発明の概要】
【発明が解決しようとする課題】
【０００４】
ところで、画像処理装置が生成した印刷データを、複数の記憶装置に記憶させ、複数の
記憶装置が記憶する印刷データに基づいて、印刷装置が印刷を実行するシステムが知られ
ている。このようなシステムでは、複数の記憶装置が、画像処理装置が生成した１の印刷
データを分けて記憶する場合がある。このような場合において、画像処理装置が新たな印
刷データの生成を実行する際、生成した新たな印刷データを効率よく複数の記憶装置に記
憶させたいとするニーズがある。
そこで、本発明は、新たに生成する印刷データを、効率よく記憶装置に記憶させること
ができるようにすることを目的とする。
【課題を解決するための手段】
【０００５】
上記課題を解決するために、本発明は、印刷データを生成する画像処理装置と、前記画
像処理装置が生成した前記印刷データを記憶する複数の記憶装置と、前記記憶装置が記憶
する前記印刷データに基づいて印刷を実行する印刷装置とを備える印刷システムであって
、前記画像処理装置は、前記印刷装置に複数の前記記憶装置が接続し、接続する複数の前
記記憶装置が１の前記印刷データを分けて記憶する場合において、新たに前記印刷データ
を生成する際、複数の前記記憶装置のうち記憶領域に空き領域を有する前記記憶装置であ
る空き記憶装置を、前記印刷装置に問い合わせ、前記印刷装置は、接続する複数の前記記
憶装置のそれぞれの記憶領域を管理し、接続する複数の前記記憶装置のうち前記空き記憶
装置がある場合、前記空き記憶装置を前記画像処理装置に通知し、前記画像処理装置は、
前記印刷装置に接続する複数の前記記憶装置のうち、前記印刷装置から通知された前記空
き記憶装置と接続し、接続した前記空き記憶装置に新たに生成する前記印刷データを記憶
させる。
本発明によれば、画像処理装置が、印刷装置から通知された空き記憶装置と接続し、接
続した空き記憶装置に新たに生成する印刷データを記憶させるため、新たに生成する印刷
データを効率よく記憶装置に記憶させることができる。
【０００６】
また、本発明は、前記印刷装置は、複数の前記記憶装置のうち、１の前記記憶装置の記
憶領域に空き領域を有し、前記１の前記記憶装置と異なる他の前記記憶装置が記憶する前
記印刷データが、前記１の前記記憶装置の空き領域に記憶可能である場合、前記他の前記
記憶装置が記憶する前記印刷データを、前記１の前記記憶装置の空き領域に移し、前記印
刷データを前記１の前記記憶装置の空き領域に移した前記他の前記記憶装置を前記空き記
憶装置として、前記画像処理装置に通知し、前記画像処理装置は、前記印刷装置と接続す
る複数の前記記憶装置のうち、前記印刷装置から前記空き記憶装置として通知された前記
他の前記記憶装置と接続し、接続した前記他の前記記憶装置に新たに生成する前記印刷デ
ータを記憶させる。
本発明によれば、印刷装置が、１の記憶装置と異なる他の記憶装置が記憶する印刷デー
タが、１の記憶装置の空き領域に記憶可能である場合、他の記憶装置が記憶する印刷デー
タを１の記憶装置の空き領域に移し、当該他の記憶装置を空き記憶装置として通知し、画
像処理装置が、印刷装置から通知された空き記憶装置と接続して、新たに生成する印刷デ
ータを記憶させるため、新たに生成する印刷データを効率よく記憶装置に記憶させること
ができる。
【０００７】
また、本発明は、前記印刷装置は、複数の前記記憶装置のうち、１の前記記憶装置を前
記空き記憶装置として前記画像処理装置に通知し、前記画像処理装置は、前記印刷装置に
接続する複数の前記記憶装置のうち、前記印刷装置から前記空き記憶装置として通知され
た前記１の前記記憶装置と接続し、新たに生成する前記印刷データのうち、前記１の前記
記憶装置の空き領域分の前記印刷データを生成して接続した前記１の前記記憶装置に記憶
させ、前記印刷装置は、前記１の前記記憶装置が空き領域分の前記印刷データを記憶した
後、前記１の前記記憶装置と異なる他の前記記憶装置の記憶領域が空き領域になった場合
、前記他の前記記憶装置を前記空き記憶装置として前記画像処理装置に通知し、前記画像
処理装置は、前記印刷装置に接続する複数の前記記憶装置のうち、前記空き記憶装置とし
て通知された前記他の前記記憶装置と接続し、新たに生成する前記印刷データのうち、前
記１の前記記憶装置の空き領域分の前記印刷データ以外の前記印刷データを生成して、接
続した前記他の前記記憶装置に記憶させる。
本発明によれば、画像処理装置が、新たに生成する印刷データのうち、空き記憶装置と
して通知された１の記憶装置の空き領域分の印刷データを生成して１の記憶装置に記憶さ
せ、他の記憶装置が空き記憶装置として通知された場合、新たに生成する印刷データのう
ち、１の記憶装置の空き領域分の印刷データ以外の印刷データを他の前記記憶装置に記憶
させるため、新たに生成する印刷データを効率よく記憶装置に記憶させることができる。
【０００８】
また、本発明は、前記画像処理装置は、前記印刷装置に接続する前記空き記憶装置を、
前記印刷装置から前記画像処理装置に接続を切り替えることを指示する情報を報知する。
本発明によれば、画像処理装置が、印刷装置に接続する空き記憶装置を、前記画像処理
装置に接続を切り替えることを指示する情報を報知するため、ユーザーは、新たに生成す
る印刷データを空き記憶装置に記憶させる際、空き記憶装置の接続の切り替えが必要であ
ることを認識できる。
【０００９】
また、本発明は、前記印刷装置は、前記空き記憶装置が前記印刷装置から前記画像処理
装置に接続が切り替えられなかった場合、前記画像処理装置が新たに生成する前記印刷デ
ータに基づく印刷を実行せず、当該印刷データに基づく印刷を実行していないことを示す
情報を報知する。
本発明によれば、印刷装置が、空き記憶装置が印刷装置から画像処理装置に切り替えて
接続されなかった場合、画像処理装置が新たに生成する印刷データに基づく印刷を実行せ
ず、印刷データに基づく印刷を実行していないことを示す情報を報知するため、印刷装置
が新たに生成される印刷データに基づく印刷が途中で停止することを抑制できる。また、
ユーザーは、印刷装置が、新たに生成される印刷データに基づく印刷を実行していないこ
とを認識できる。
【００１０】
また、本発明は、前記画像処理装置は、前記空き記憶装置が前記印刷装置から前記画像
処理装置に切り替えて接続されなかった場合、新たな前記印刷データの生成を実行せず、
新たな前記印刷データの生成を実行していないことを示す情報を報知する。
本発明によれば、画像処理装置が、空き記憶装置が印刷装置から画像処理装置に切り替
えて接続されなかった場合、新たな印刷データの生成を実行せず、新たな印データの生成
を実行していないことを示す情報を報知するため、新たに生成した印刷データを空き記憶
装置に記憶できないとった事態の発生を防止できる。また、ユーザーは、画像処理装置が
、新たな印刷データの生成を実行していないことを認識できる。
【００１１】
また、上記課題を解決するために、本発明は、印刷データを生成する画像処理装置と、
前記画像処理装置が生成した前記印刷データを記憶する複数の記憶装置と、前記記憶装置
が記憶する前記印刷データに基づいて印刷を実行する印刷装置とを備える印刷システムの
制御方法であって、前記画像処理装置は、前記印刷装置に複数の前記記憶装置が接続し、
接続する複数の前記記憶装置が１の前記印刷データを分けて記憶する場合において、新た
に前記印刷データを生成する際、複数の前記記憶装置のうち記憶領域に空き領域を有する
前記記憶装置である空き記憶装置を、前記印刷装置に問い合わせ、前記印刷装置は、接続
する複数の前記記憶装置のそれぞれの記憶領域を管理し、接続する複数の前記記憶装置の
うち前記空き記憶装置がある場合、前記空き記憶装置を前記画像処理装置に通知し、前記
画像処理装置は、前記印刷装置に接続する複数の前記記憶装置のうち、前記印刷装置から
通知された前記空き記憶装置と接続し、接続した前記空き記憶装置に新たに生成する前記
印刷データを記憶する。
本発明によれば、画像処理装置が、印刷装置から通知された空き記憶装置と接続し、接
続した空き記憶装置に新たに生成する印刷データを記憶させるため、新たに生成する印刷
データを効率よく記憶装置に記憶させることができる。
【００１２】
また、上記課題を解決するために、本発明の印刷装置は、画像処理装置が生成した印刷
データを記憶する複数の記憶部と、前記記憶部の接続を切り替える切替部と、前記切替部
を制御する制御部と、前記記憶部が記憶する前記印刷データに基づいて印刷を実行する印
刷部と、を備え、前記制御部は、複数の前記記憶部のうち、記憶領域に空き領域を有する
前記記憶部である空き記憶部を特定し、前記複数の前記記憶部が１の前記印刷データを分
けて記憶する場合において、前記画像処理装置が新たに前記印刷データを生成する際に、
前記切替部により特定した前記空き記憶部の接続先を前記画像処理装置に切り替え、新た
に生成される前記印刷データを前記空き記憶部に記憶させる。
本発明によれば、画像処理装置が印刷装置の空き記憶部と接続し、接続した空き記憶部
に、前記画像処理装置により新たに生成される印刷データを記憶させるため、新たに生成
される印刷データを効率よく記憶部に記憶させることができる。
【図面の簡単な説明】
【００１３】
【図１】印刷システムの構成を示す図。
【図２】プリンター、及び、ＲＩＰ装置の機能的構成を示す図。
【図３】プリンター、及び、ＲＩＰ装置の動作を示すフローチャート。
【図４】複数のスイッチと複数のＳＳＤの記憶領域の状態を示す図。
【図５】複数のスイッチと複数のＳＳＤの記憶領域の状態を示す図。
【図６】複数のスイッチと複数のＳＳＤの記憶領域の状態を示す図。
【図７】複数のスイッチと複数のＳＳＤの記憶領域の状態を示す図。
【図８】複数のスイッチと複数のＳＳＤの記憶領域の状態を示す図。
【図９】複数のスイッチと複数のＳＳＤの記憶領域の状態を示す図。
【図１０】複数のスイッチと複数のＳＳＤの記憶領域の状態を示す図。
【図１１】プリンター、及び、ＲＩＰ装置の動作を示すフローチャート。
【図１２】複数のスイッチと複数のＳＳＤの記憶領域の状態を示す図。
【図１３】複数のスイッチと複数のＳＳＤの記憶領域の状態を示す図。
【発明を実施するための形態】
【００１４】
＜第１実施形態＞
まず、第１実施形態について説明する。
図１は、第１実施形態に係る印刷システム１の構成を示す図である。
【００１５】
図１に示すように、印刷システム１は、プリンター２（印刷装置）と、ＲＩＰ装置３（
画像処理装置）と、ＳＳＤ（Solid State Drive）５（記憶装置）（記憶部）と、ＳＳＤ
６（記憶装置）(記憶部)とを備える。
【００１６】
プリンター２は、インクをインクジェット式で噴射することにより文字や画像等を印刷
する装置であり、比較的大型の印刷媒体に対して印刷を実行するラージフォーマットプリ
ンター（ＬＦＰ）である。
【００１７】
ＲＩＰ装置３は、プリンター２が印刷に使用する色（例えば、シアン（Ｃ）、マゼンタ
（Ｍ）、イエロー（Ｙ）、ブラック（Ｋ））毎の、ビットマップ展開された印刷データの
生成を専門的に実行する装置である。ＲＩＰ装置３は、ホストコンピューター４から受信
した画像データに基づいて、印刷データを生成する。例えば、ＲＩＰ装置３は、印刷会社
で用いられる業務用の高画質且つ大型のプリンターに印刷を実行させるための印刷データ
を生成する。
【００１８】
図１に示すように、印刷システム１は、ネットワークＮを有しており、ネットワークＮ
には、プリンター２と、ＲＩＰ装置３とが接続する。なお、ネットワークＮを介して行わ
れる通信の通信規格は何でもよく、また、ネットワークＮを行われる通信は有線通信でも
無線通信でもよい。
【００１９】
ＲＩＰ装置３には、ホストコンピューター４が互いに通信可能に接続する。ホストコン
ピューター４は、プリンター２が印刷媒体に印刷する文字や画像等の画像データを生成す
る装置である。ここでいう画像データとは、例えば、印刷媒体に印刷する文字や画像等を
作成するアプリケーションにより生成される画像データである。なお、ホストコンピュー
ター４とＲＩＰ装置３とが接続するネットワークは、ホストコンピューター４とＲＩＰ装
置３とが互いに通信可能であれば、プリンター２とＲＩＰ装置３とが接続するネットワー
クＮでもよく、当該ネットワークＮと異なるネットワークでもよい。
【００２０】
図１に示すように、プリンター２とＲＩＰ装置３とは、スイッチＳＷ１（切替部）に接
続する。スイッチＳＷ１（切替部）は、端子Ｔ１１と、端子Ｔ１２と、端子Ｔ１３と、操
作部Ｓ１とを備える。スイッチＳＷ１の端子Ｔ１１には、ＲＩＰ装置３が接続する。また
、スイッチＳＷ１の端子Ｔ１２には、プリンター２が接続する。また、スイッチＳＷ１の
端子Ｔ１３には、ＳＳＤ５が接続する。スイッチＳＷ１は、ユーザーの操作に基づいて操
作部Ｓ１の状態を切替可能に構成される。本実施形態においてスイッチＳＷ１の状態は、
印刷接続状態、及び、ＲＩＰ接続状態のいずれかの状態である。スイッチＳＷ１の状態が
印刷接続状態とは、操作部Ｓ１が端子Ｔ１２と端子Ｔ１３とが接続し、ＳＳＤ５とプリン
ター２とが接続する状態である。スイッチＳＷ１の状態がＲＩＰ接続状態とは、操作部Ｓ
１が端子Ｔ１１と端子Ｔ１３とが接続し、ＳＳＤ５とＲＩＰ装置３とが接続する状態であ
る。
【００２１】
また、図１に示すように、プリンター２とＲＩＰ装置３とは、スイッチＳＷ２に接続す
る。スイッチＳＷ２は、端子Ｔ２１と、端子Ｔ２２と、端子Ｔ２３と、操作部Ｓ２とを備
える。スイッチＳＷ２の端子Ｔ２１には、ＲＩＰ装置３が接続する。また、スイッチＳＷ
２の端子Ｔ２２には、プリンター２が接続する。また、スイッチＳＷ２の端子Ｔ２３には
、ＳＳＤ６が接続する。スイッチＳＷ２は、ユーザーの操作に基づいて操作部Ｓ２の状態
を切替可能に構成される。本実施形態においてスイッチＳＷ２の状態は、印刷接続状態、
及び、ＲＩＰ接続状態のいずれかの状態である。スイッチＳＷ２の状態が印刷接続状態と
は、操作部Ｓ２が端子Ｔ２２と端子Ｔ２３とが接続し、ＳＳＤ６とプリンター２とが接続
する状態である。スイッチＳＷ２の状態がＲＩＰ接続状態とは、操作部Ｓ２が端子Ｔ２１
と端子Ｔ２３とが接続し、ＳＳＤ６とＲＩＰ装置３とが接続する状態である。
【００２２】
ＳＳＤ５、及び、ＳＳＤ６のそれぞれは、例えばフラシュメモリー素子にデータを記憶
する記憶装置である。ＳＳＤ５、及び、ＳＳＤ６のそれぞれは、各種データを不揮発的に
記憶する。
【００２３】
ＲＩＰ装置３は、スイッチＳＷ１がＲＩＰ接続状態である場合、生成する印刷データを
、ＳＳＤ５に記憶させる。また、ＲＩＰ装置３は、スイッチＳＷ２がＲＩＰ接続状態であ
る場合、生成する印刷データを、ＳＳＤ６に記憶させる。また、ＲＩＰ装置３は、スイッ
チＳＷ１、及び、スイッチＳＷ２がＲＩＰ接続状態である場合、生成する印刷データをＳ
ＳＤ５、又は／及び、ＳＳＤ６に記憶させる。
【００２４】
プリンター２は、スイッチＳＷ１が印刷接続状態であって、ＳＳＤ５が印刷データを記
憶する場合、ＳＳＤ５が記憶する印刷データに基づいて印刷を実行する。また、プリンタ
ー２は、スイッチＳＷ２が印刷接続状態であって、ＳＳＤ６が印刷データを記憶する場合
、ＳＳＤ６が記憶する印刷データに基づいて印刷を実行する。また、プリンター２は、ス
イッチＳＷ１、及び、スイッチＳＷ２が印刷接続状態であって、ＳＳＤ５、及び、ＳＳＤ
６が印刷データを記憶する場合、ＳＳＤ５、又は／及び、ＳＳＤ６が記憶する印刷データ
に基づいて印刷を実行する。
【００２５】
次に、プリンター２と、ＲＩＰ装置３との機能的構成について説明する。
【００２６】
図２は、プリンター２と、ＲＩＰ装置３との機能的構成を示す図である。
【００２７】
図２に示すように、プリンター２は、プリンター制御部２０（制御部）と、プリンター
記憶部２１と、プリンター入力部２２と、プリンター表示部２３と、印刷部２４と、プリ
ンターネットワーク通信部２５と、第１プリンター通信部２６と、第２プリンター通信部
２７とを備える。
【００２８】
プリンター制御部２０は、ＣＰＵや、ＲＯＭ、ＲＡＭ、その他の制御回路等を備え、プ
リンター２の各部を制御する。
【００２９】
プリンター記憶部２１は、ＥＥＰＲＯＭや、ハードディスク等の不揮発性メモリーを備
え、各種データを書き換え可能に記憶する。
【００３０】
プリンター入力部２２は、プリンター２に設けられた操作スイッチや、タッチパネル等
の入力手段を備え、ユーザーの入力手段に対する操作を検出し、プリンター制御部２０に
出力する。プリンター制御部２０は、プリンター入力部２２からの入力に基づいて、入力
手段に対する操作に対応する処理を実行する。
【００３１】
プリンター表示部２３は、複数のＬＥＤや、表示パネル等を備え、プリンター制御部２
０の制御によって、ＬＥＤを所定の態様で点灯／消灯や、表示パネルへの情報の表示等を
実行する。
【００３２】
印刷部２４は、インクジェットヘッドや、インクジェットヘッドを駆動する駆動回路、
キャリッジ、キャリッジを搬送方向と交差する主走査方向に走査させる走査モーター、走
査モーターを駆動するモータードライバー、印刷媒体をキャリッジの主走査方向と交差す
る方向に搬送する搬送モーター、その他の印刷媒体への印刷に関する構成を備える。印刷
部２４は、プリンター制御部２０の制御によって、印刷媒体に文字や画像等を印刷する。
詳細には、印刷部２４は、キャリッジを主走査方向に走査させながら印刷媒体にインクを
噴射し、印刷媒体をキャリッジの主走査方向と交差する方向に搬送することで、印刷を実
行する。
【００３３】
プリンターネットワーク通信部２５は、プリンター制御部２０の制御によって、所定の
通信規格に従って、ネットワークＮに接続するＲＩＰ装置３と通信する。なお、ホストコ
ンピューター４がネットワークＮに接続する場合、プリンターネットワーク通信部２５は
、ホストコンピューター４とも通信可能である。
【００３４】
第１プリンター通信部２６は、スイッチＳＷ１が印刷接続状態である場合、スイッチＳ
Ｗ１を介して、ＳＳＤ５と通信する。第１プリンター通信部２６は、例えば、ＵＳＢ（Un
iversal Serial Bus）の規格に準拠したインターフェースや、ＳＡＴＡ（Serial ATA）の
インターフェース等を備え、インターフェースを介してＳＳＤ５と通信する。
【００３５】
第２プリンター通信部２７は、スイッチＳＷ２が印刷接続状態である場合、スイッチＳ
Ｗ２を介して、ＳＳＤ６と通信する。第２プリンター通信部２７は、例えば、ＵＳＢ（Un
iversal Serial Bus）の規格に準拠したインターフェースや、ＳＡＴＡ（Serial ATA）の
インターフェース等を備え、インターフェースを介してＳＳＤ６と通信する。
【００３６】
次に、ＲＩＰ装置３の機能的構成について説明する。
【００３７】
図２に示すように、ＲＩＰ装置３は、ＲＩＰ制御部３０と、ＲＩＰ記憶部３１と、ＲＩ
Ｐ入力部３２と、ＲＩＰ表示部３３と、ＲＩＰネットワーク通信部３４と、第１ＲＩＰ通
信部３５と、第２ＲＩＰ通信部３６とを備える。
【００３８】
ＲＩＰ制御部３０は、図示しないＣＰＵや、ＲＯＭ、ＲＡＭ、その他周辺回路等を備え
、ＲＩＰ装置３の各部を制御する。
【００３９】
ＲＩＰ記憶部３１は、ＥＥＰＲＯＭや、ハードディスク等の不揮発性メモリーを備え、
各種データを書き換え可能に記憶する。
【００４０】
ＲＩＰ入力部３２は、ユーザーからの操作を受け付けるキーボードや、マウス、タッチ
パネル等の入力手段を備え、ユーザーの入力手段に対する操作を検出し、ＲＩＰ制御部３
０に出力する。ＲＩＰ制御部３０は、ＲＩＰ入力部３２からの入力に基づいて、入力手段
に対する操作に対応する処理を実行する。
【００４１】
ＲＩＰ表示部３３は、複数のＬＥＤや、表示パネル等を備え、ＲＩＰ制御部３０の制御
で、ＬＥＤを所定の態様で点灯／消灯や、表示パネルへの情報の表示等を実行する。
【００４２】
ＲＩＰネットワーク通信部３４は、プリンター制御部２０の制御をするために、所定の
通信規格に従って、ネットワークＮに接続するプリンター２と通信する。また、ＲＩＰネ
ットワーク通信部３４は、所定の通信規格に従って、ホストコンピューター４と通信する
。ホストコンピューター４がネットワークＮに接続する場合、ＲＩＰネットワーク通信部
３４は、ネットワークＮを介してホストコンピューター４と通信する。また、ホストコン
ピューター４がネットワークＮと異なるネットワークに接続している場合、ＲＩＰネット
ワーク通信部３４は、当該異なるネットワークを介してホストコンピューター４と通信す
る。
【００４３】
第１ＲＩＰ通信部３５は、スイッチＳＷ１が印刷接続状態である場合、スイッチＳＷ１
を介して、ＳＳＤ５と通信する。第１ＲＩＰ通信部３５は、例えば、ＵＳＢ（Universal 
Serial Bus）の規格に準拠したインターフェースや、ＳＡＴＡ（Serial ATA）のインター
フェース等を備え、インターフェースを介してＳＳＤ５と通信する。
【００４４】
第２ＲＩＰ通信部３６は、スイッチＳＷ２が印刷接続状態である場合、スイッチＳＷ２
を介して、ＳＳＤ６と通信する。第２ＲＩＰ通信部３６は、例えば、ＵＳＢ（Universal 
Serial Bus）の規格に準拠したインターフェースや、ＳＡＴＡ（Serial ATA）のインター
フェース等を備え、インターフェースを介してＳＳＤ６と通信する。
【００４５】
前述したように、印刷システム１は、ＲＩＰ装置３が、ＳＳＤ５とＳＳＤ６とに生成し
た印刷データを記憶させ、プリンター２がＳＳＤ５とＳＳＤ６との少なくともいずれかが
記憶する印刷データに基づいて印刷を実行する。このように、ＲＩＰ装置３が生成した印
刷データを外部の記憶装置が記憶する構成とされるのは、ＲＩＰ装置３は比較的に大きめ
（例えばＡ列３番よりも大きい）の印刷媒体に対応したプリンターに対して印刷データを
生成する装置であるため、生成する印刷データのデータサイズが、比較的に小さめ（例え
ばＡ列３番以下）の印刷媒体に対応するプリンターの印刷データのデータサイズより大き
いサイズとなるからである。つまり、ＲＩＰ装置３が記憶するには記憶に係る負荷が大き
いデータサイズの印刷データを生成するためである。
【００４６】
また、印刷システム１は、ＳＳＤ５、及び、ＳＳＤ６の複数の記憶装置を備えている。
このように、ＳＳＤ５、及び、ＳＳＤ６の複数の記憶装置を備えるのは、ＲＩＰ装置３が
、ＳＳＤ５、及び、ＳＳＤ６のいずれかでは格納できないデータサイズの印刷データを生
成する可能性があるためである。したがって、印刷システム１は、ＳＳＤ５、及び、ＳＳ
Ｄ６のように複数の記憶装置を備えることで、１の記憶装置では格納しきれない印刷デー
タを、複数の記憶装置によって分けて記憶することが可能となる。
【００４７】
しかしながら、１の印刷データを複数の記憶装置が分けて記憶する構成である場合、以
下に示すような課題がある。
【００４８】
例えば、ＳＳＤ５、及び、ＳＳＤ６が、ＲＩＰ装置３が生成した１の印刷データを分け
て記憶しており、プリンター２がＳＳＤ５、及び、ＳＳＤ６が記憶する印刷データに基づ
いて印刷を実行しているとする。この場合において、ＲＩＰ装置３がホストコンピュータ
ー４から画像データを受信し、新たに印刷データの生成を実行する際、ＳＳＤ５とＳＳＤ
６との少なくともいずれかに、ＲＩＰ装置３は、新たに生成する印刷データを記憶させる
必要がある。しかしながら、ＲＩＰ装置３は、ＳＳＤ５、及び、ＳＳＤ６の記憶領域の少
なくともいずれかに空き領域がないと、新たに生成する印刷データを記憶させることがで
きない。
【００４９】
ここで、プリンター２がＳＳＤ５、及び、ＳＳＤ６が記憶する１の印刷データに基づく
印刷を完了した後に、ＲＩＰ装置３が新たな印刷データを生成する構成が考えられる。こ
の構成によれば、ＲＩＰ装置３は、新たに生成する印刷データを、ＳＳＤ５、及び、ＳＳ
Ｄ６の少なくともいずれかに記憶させることができる。しかしながら、前述した通り、Ｒ
ＩＰ装置３が生成する印刷データのデータサイズが、比較的に小さめ（例えばＡ列３番以
下）の印刷媒体に対応するプリンターの印刷データのデータサイズより大きいサイズであ
るため、ＲＩＰ装置３は、新たな印刷データの生成に時間を要する。そのため、プリンタ
ー２は、ＳＳＤ５、及び、ＳＳＤ６が記憶する１の印刷データに基づく印刷を実行した後
に、新たな印刷データに基づく印刷を速やかに実行できない。つまり、プリンター２は、
新たな印刷データに基づく印刷を実行する際、一度印刷の動作が停止する可能性がある。
これでは、印刷の動作が停止することなく、異なる印刷データを印刷したいとするニーズ
に応えることができない場合がある。
【００５０】
したがって、印刷システム１は、ＳＳＤ５、及び、ＳＳＤ６の少なくともいずれかに、
ＲＩＰ装置３が新たに生成する印刷データを効率よく記憶させることが望まれる。
【００５１】
そこで、印刷システム１は、以下に示す動作を実行する。
【００５２】
図３は、印刷システム１を構成するＲＩＰ装置３とプリンター２との動作を示すフロー
チャートである。図３において、フローチャートＡは、ＲＩＰ装置３の動作を示すフロー
チャートである。また、図３において、フローチャートＢは、プリンター２の動作を示す
フローチャートである。
【００５３】
図３の説明では、ＳＳＤ５が「１の記憶装置」に相当し、ＳＳＤ６が「他の記憶装置」
に相当するものとする。
【００５４】
また、図３の各フローチャートの開始時点では、スイッチＳＷ１、及び、スイッチＳＷ
２の状態と、ＳＳＤ５の記憶領域、及び、ＳＳＤ６の記憶領域の状態とが、図４に示す状
態を前提とする。
【００５５】
図４は、スイッチＳＷ１、及び、スイッチＳＷ２と、ＳＳＤ５の記憶領域、及び、ＳＳ
Ｄ６の記憶領域との状態を示す図である。
【００５６】
図４では、スイッチＳＷ１、及び、スイッチＳＷ２との状態が印刷接続状態であること
を示している。つまり、ＳＳＤ５とＳＳＤ６とは、プリンター２に接続している状態を示
している。
【００５７】
また、図４では、ＲＩＰ装置３が生成した１の印刷データを、ＳＳＤ６とＳＳＤ５とが
分けて記憶している状態を示している。詳述すると、図４では、ＳＳＤ６の記憶領域ＫＡ
６に、１の印刷データのうち記憶領域ＫＡに対応するデータサイズ分の印刷データが記憶
されている。以下の説明において、ＳＳＤ６に記憶される印刷データを「ＳＳＤ６印刷デ
ータ」と表現する。また、図４では、ＳＳＤ５の記憶領域ＫＡ５に、１の印刷データのう
ち、記憶領域ＫＡ５のうち空き領域ＦＡ１を除く領域Ａ１に対応するデータサイズ分の印
刷データが記憶されている。つまり、図４においてＳＳＤ５とＳＳＤ６とが分けて記憶す
る１の印刷データは、記憶領域ＫＡ６と領域Ａ１とに対応するデータサイズの印刷データ
である。以下の説明において、ＳＳＤ５に記憶される印刷データを「ＳＳＤ５印刷データ
」と表現する。
【００５８】
つまり、図３の各フローチャートの開始時点では、図４に示すように、スイッチＳＷ１
、及び、スイッチＳＷ２の状態が印刷接続状態であることを前提とする。また、図３のフ
ローチャートの開始時点では、図４に示すように、ＳＳＤ５とＳＳＤ６とが１の印刷デー
タを分けて記憶することを前提とする。
【００５９】
また、図３の各フローチャートの開始時点では、図４に示すように、ＳＳＤ５とＳＳＤ
６とがプリンター２に接続し、ＳＳＤ５とＳＳＤ６とが記憶する１の印刷データに基づい
て印刷を実行しているものとする。
【００６０】
また、図３の説明において、ＲＩＰ装置３が生成する印刷データは、ＳＳＤ５、または
、ＳＳＤ６の空き容量を超えるデータサイズであって、ＳＳＤ５、及び、ＳＳＤ６の両方
を使用することにより記憶可能なデータサイズであるとする。
【００６１】
図３のフローチャートＡの説明に戻り、ＲＩＰ装置３のＲＩＰ制御部３０は、新たな印
刷データの生成を開始するか否かを判別する（ステップＳＡ１）。新たな印刷データとは
、ＳＳＤ５とＳＳＤ６とが記憶する１の印刷データの次に生成する印刷データのことであ
る。
【００６２】
以下の説明において、新たに生成する印刷データを、「新印刷データ」と表現する。ま
た、新印刷データの前に生成された印刷データ、換言すると、ＳＳＤ５とＳＳＤ６とが分
けて記憶する印刷データを、「旧印刷データ」と表現する。
【００６３】
フローチャートＡのステップＳＡ１において、例えば、ＲＩＰ制御部３０は、ホストコ
ンピューター４から画像データをＲＩＰネットワーク通信部３４により受信した場合、新
印刷データの生成を開始すると判別する（ステップＳＡ１：ＹＥＳ）。また、例えば、Ｒ
ＩＰ制御部３０は、ホストコンピューター４から画像データをＲＩＰネットワーク通信部
３４により受信しない場合、新印刷データの生成を開始しないと判別する（ステップＳＡ
１：ＮＯ）。
【００６４】
ＲＩＰ制御部３０は、新印刷データの生成を開始すると判別した場合（ステップＳＡ１
：ＹＥＳ）、ＳＳＤ５とＳＳＤ６とのうち、空き領域を有する空き記憶装置があるか否か
の問い合わせを示す問合せ情報を、ＲＩＰネットワーク通信部３４によりプリンター２に
送信する（ステップＳＡ２）。本実施形態において、空き領域を有する空き記憶装置とは
、記憶領域にデータを記憶していない記憶装置を示す。つまり、ＳＳＤ５の記憶領域ＫＡ
５にＳＳＤ５印刷データを含むデータが何も記憶されていない場合、ＳＳＤ５は、空き記
憶装置である。ＳＳＤ６についても、同様である。
【００６５】
図３のフローチャートＢに示すように、プリンター２のプリンター制御部２０は、ＳＳ
Ｄ５、及び、ＳＳＤ６に分けて記憶する１の印刷データに基づく印刷を実行している間、
ＳＳＤ５の記憶領域ＫＡ５、及び、ＳＳＤ６の記憶領域ＫＡ６の管理を実行する（ステッ
プＳＢ１）。ＳＳＤ５の記憶領域ＫＡ５、及び、ＳＳＤ６の記憶領域ＫＡ６の管理とは、
ＳＳＤ５とＳＳＤ６とに分けて記憶する１の旧印刷データに対し、どこまでの旧印刷デー
タに基づく印刷を実行したかを含む。プリンター制御部２０は、ＳＳＤ５の記憶領域ＫＡ
５、及び、ＳＳＤ６の記憶領域ＫＡ６のそれぞれについて、旧印刷データを読み出して実
行した位置を管理することで、ＳＳＤ５の記憶領域ＫＡ５、及び、ＳＳＤ６の記憶領域Ｋ
Ａ６を管理する。
【００６６】
図３に示すように、ＲＩＰ装置３から問合せ情報が送信されると、プリンター制御部２
０は、プリンターネットワーク通信部２５により、問合せ情報を受信する（ステップＳＢ
２）。
【００６７】
次いで、プリンター制御部２０は、ＳＳＤ５の記憶領域ＫＡ５、及び、ＳＳＤ６の記憶
領域ＫＡ６の管理に基づいて、ＳＳＤ６が記憶するＳＳＤ６印刷データを、ＳＳＤ５の空
き領域ＦＡ１に移動可能であるか否かを判別する（ステップＳＢ３）。
【００６８】
ここで、ステップＳＢ３の処理について説明する。
【００６９】
図５は、スイッチＳＷ１、及び、スイッチＳＷ２と、ＳＳＤ５の記憶領域、及び、ＳＳ
Ｄ６の記憶領域との状態を示す図である。
【００７０】
図５では、スイッチＳＷ１、及び、スイッチＳＷ２との状態が印刷接続状態であること
を示している。つまり、ＳＳＤ５とＳＳＤ６とは、プリンター２に接続している状態を示
している。
【００７１】
プリンター制御部２０は、ＳＳＤ５、及び、ＳＳＤ６が記憶する１の旧印刷データに基
づいて、印刷部２４により印刷を実行する際、ＳＳＤ６から旧印刷データであるＳＳＤ６
印刷データを読み出していくとする。ここで、ＳＳＤ６から記憶領域ＫＡ６の位置ＰＡ１
から位置ＰＥ１に向かって、旧印刷データであるＳＳＤ６印刷データを読み出して印刷を
実行していき、位置Ｐ１までＳＳＤ６印刷データを読み出したとする。この場合、ＳＳＤ
６が記憶する旧印刷データのデータサイズは、記憶領域ＫＡ６のうち領域Ａ２に対応する
データサイズである。図５に示すように、領域Ａ２は、ＳＳＤ５の空き領域ＦＡ１より大
きい。つまり、領域Ａ２に対応する旧印刷データのデータサイズは、ＳＳＤ５の空き領域
ＦＡ１を上回るデータサイズである。したがって、この場合、プリンター制御部２０は、
ＳＳＤ６が記憶するＳＳＤ６印刷データを、ＳＳＤ５の空き領域ＦＡ１に移動可能でない
と判別する（ステップＳＢ３：ＮＯ）。
【００７２】
図６は、スイッチＳＷ１、及び、スイッチＳＷ２と、ＳＳＤ５の記憶領域ＫＡ５、及び
、ＳＳＤ６の記憶領域ＫＡ６との状態を示す図である。
【００７３】
図６では、スイッチＳＷ１、及び、スイッチＳＷ２との状態が印刷接続状態であること
を示している。つまり、ＳＳＤ５とＳＳＤ６とは、プリンター２に接続している状態を示
している。
【００７４】
例えば、プリンター制御部２０は、ＳＳＤ５、及び、ＳＳＤ６が記憶する１の旧印刷デ
ータに基づいて、印刷部２４により印刷を実行する際、ＳＳＤ６から旧印刷データである
ＳＳＤ６印刷データを読み出していくとする。ここで、ＳＳＤ６から記憶領域ＫＡ６の位
置ＰＡ１から位置ＰＥ１に向かって、旧印刷データであるＳＳＤ６印刷データを読み出し
て印刷を実行していき、位置Ｐ２までＳＳＤ６印刷データを読み出したとする。この場合
、ＳＳＤ６が記憶する旧印刷データのデータサイズは、記憶領域ＫＡ６のうち領域Ａ３に
対応するデータサイズである。図６では、領域Ａ３は、ＳＳＤ５の空き領域ＦＡ１と同じ
である。つまり、領域Ａ３に対応する旧印刷データのデータサイズは、ＳＳＤ５の空き領
域ＦＡ１と同じデータサイズである。したがって、この場合、プリンター制御部２０は、
ＳＳＤ６が記憶するＳＳＤ６印刷データを、ＳＳＤ５の空き領域ＦＡ１に移動可能である
と判別する（ステップＳＢ３：ＹＥＳ）。
【００７５】
図３のフローチャートＢの説明に戻り、プリンター２のプリンター制御部２０は、ＳＳ
Ｄ６が記憶するＳＳＤ６印刷データを、ＳＳＤ５の空き領域ＦＡ１に移動可能であると判
別した場合（ステップＳＢ３：ＹＥＳ）、ＳＳＤ６が記憶するＳＳＤ６印刷データを、Ｓ
ＳＤ５の空き領域ＦＡ１に移動させる（ステップＳＢ４）。
【００７６】
図７は、スイッチＳＷ１、及び、スイッチＳＷ２と、ＳＳＤ５の記憶領域ＫＡ５、及び
、ＳＳＤ６の記憶領域ＫＡ６との状態を示す図である。
【００７７】
図７では、スイッチＳＷ１、及び、スイッチＳＷ２との状態が印刷接続状態であること
を示している。つまり、ＳＳＤ５とＳＳＤ６とは、プリンター２に接続している状態を示
している。
【００７８】
例えば、ＳＳＤ６の領域Ａ３に記憶されるＳＳＤ６印刷データが、ＳＳＤ５の空き領域
ＦＡ１に記憶可能である場合、プリンター制御部２０は、領域Ａ３に記憶されるＳＳＤ６
印刷データを、ＳＳＤ５の空き領域ＦＡ１に移動させる。詳細には、プリンター制御部２
０は、第２プリンター通信部２７により、ＳＳＤ６から領域Ａ３に記憶されるＳＳＤ６印
刷データを取得し、第１プリンター通信部２６により、当該ＳＳＤ６印刷データを、ＳＳ
Ｄ５の空き領域ＦＡ１に記憶させる。これにより、図５に示すように、ＳＳＤ５は、記憶
領域ＫＡ５のうち、領域Ａ１に旧印刷データのＳＳＤ５印刷データを記憶し、領域Ａ４、
すなわち、空き領域ＦＡ１にＳＳＤ６が記憶していたＳＳＤ６印刷データを記憶する。そ
して、ＳＳＤ６は、記憶領域ＫＡ６に何もデータを記憶していない状態となる。
【００７９】
なお、図７に示すように、ＳＳＤ６印刷データをＳＳＤ５に移動した場合、プリンター
制御部２０は、ＳＳＤ５から旧印刷データを読み出して印刷を実行する際、ＳＳＤ５の記
憶領域ＫＡ５の位置Ｐ３から位置ＰＥ２に向かって印刷データを読み出す。そして、プリ
ンター制御部２０は、位置ＰＥ２まで印刷データを読み出すと、ＳＳＤ５の記憶領域ＫＡ
５の位置ＰＡ２から位置ＰＥ２に向かって領域Ａ１に記憶される印刷データを読み出す。
【００８０】
図３のフローチャートの説明に戻り、プリンター制御部２０は、ＳＳＤ６が記憶するＳ
ＳＤ６印刷データをＳＳＤ５の空き領域ＦＡ１に移動させると、空き記憶装置としてＳＳ
Ｄ６を示す情報を、プリンターネットワーク通信部２５によりＲＩＰ装置３に送信するこ
とで、ＳＳＤ６が空き記憶装置であることを通知する（ステップＳＢ５）。
【００８１】
図３のフローチャートＡに示すように、ＲＩＰ装置３は、空き記憶装置としてＳＳＤ６
を示す情報を、ＲＩＰネットワーク通信部３４により受信する（ステップＳＡ３）。空き
記憶装置としてＳＳＤ６を示す情報を受信すると、ＲＩＰ制御部３０は、ＲＩＰ表示部３
３により、ＳＳＤ６をプリンター２からＲＩＰ装置３に切り替えて接続することを指示す
る情報を報知する（ステップＳＡ４）。例えば、ＲＩＰ制御部３０は、「スイッチＳＷ２
を操作して、ＳＳＤ６をＲＩＰ装置３と接続してください」を示す情報を、ＲＩＰ表示部
３３が表示することで報知する。また、例えば、ＲＩＰ制御部３０は、ＲＩＰ表示部３３
が有するＬＥＤを所定の態様で、点灯、又は／及び、消灯を実行し、ＳＳＤ６をプリンタ
ー２からＲＩＰ装置３に切り替えて接続することを指示する情報を報知してもよい。
【００８２】
このように、ＲＩＰ制御部３０は、空き記憶装置としてＳＳＤ６を、プリンター２から
ＲＩＰ装置３に切り替えて接続することを指示する情報をＲＩＰ表示部３３により報知す
る。そのため、ユーザーは、ＳＳＤ５、及び、ＳＳＤ６のうち、空き記憶装置がどちらで
あるかを認識できる上、空き記憶装置の接続の切り替えが必要であることを認識できる。
特に、ＳＳＤ５、及び、ＳＳＤ６の接続の切り替えが本実施形態のようにユーザーの操作
に基づく場合、ユーザーが、空き記憶装置の接続の切り替えが必要となる。そのため、こ
のように報知を実行することで、ユーザーによる空き記憶装置の接続の切り替えが、確実
に実行される蓋然性が高まる。
【００８３】
次いで、ＲＩＰ制御部３０は、空き記憶装置としてプリンター２から通知されたＳＳＤ
６を、プリンター２からＲＩＰ装置３に切り替えて接続したか否かを判別する（ステップ
ＳＡ５）。例えば、ＲＩＰ制御部３０は、スイッチＳＷ２がユーザーによって操作され、
印刷接続状態からＲＩＰ接続状態に移行し、ＳＳＤ６から接続したことを示す信号を第２
ＲＩＰ通信部３６が受信した場合、ＳＳＤ６がプリンター２からＲＩＰ装置３に切り替え
て接続したと判別する（ステップＳＡ５：ＹＥＳ）。また、例えば、ＲＩＰ制御部３０は
、プリンター２からＳＳＤ６との接続が解消されたことを示す情報を、ＲＩＰネットワー
ク通信部３４により受信した場合、ＳＳＤ６がプリンター２からＲＩＰ装置３に切り替え
て接続したと判別する（ステップＳＡ５：ＹＥＳ）。
【００８４】
ＲＩＰ制御部３０は、空き記憶装置としてプリンター２から通知されたＳＳＤ６と、Ｒ
ＩＰ装置３とが接続していないと判別した場合（ステップＳＡ５：ＮＯ）、新印刷データ
の生成を実行せず、ＲＩＰ表示部３３により、新印刷データの生成を実行していないこと
を示す情報を報知する（ステップＳＡ６）。ＲＩＰ制御部３０は、ＲＩＰ表示部３３によ
り、新印刷データの生成を実行してないことを示す情報を報知すると、処理をステップＳ
Ａ４に移行させ、ＳＳＤ６をプリンター２からＲＩＰ装置３に切り替えて接続することを
指示する情報を報知する。ここで、ＲＩＰ制御部３０は、新印刷データの生成を実行して
ないことを示す情報と共に、ＳＳＤ６をプリンター２からＲＩＰ装置３に切り替えて接続
することを指示する情報を報知する。
【００８５】
このように、ＲＩＰ制御部３０は、空き記憶装置としてプリンター２にから通知された
ＳＳＤ６と、ＲＩＰ装置３とが接続していないと判別した場合、新印刷データを生成しな
い。そのため、生成した新印刷データをＳＳＤ６に記憶できないといった事態の発生を防
止できる。また、ＲＩＰ制御部３０が、新印刷データを生成していないことを示す情報を
報知するため、ユーザーは、ＲＩＰ装置３が新印刷データを生成していないことを認識で
きる。
【００８６】
一方、ＲＩＰ制御部３０は、空き記憶装置としてプリンター２から通知されたＳＳＤ６
と、ＲＩＰ装置３とが接続したと判別した場合（ステップＳＡ５：ＹＥＳ）、新印刷デー
タの生成を実行し、ＳＳＤ６に新印刷データを記憶させる（ステップＳＡ７）。
【００８７】
図８は、スイッチＳＷ１、及び、スイッチＳＷ２と、ＳＳＤ５の記憶領域ＫＡ５、及び
、ＳＳＤ６の記憶領域ＫＡ６との状態を示す図である。
【００８８】
図８では、スイッチＳＷ１の状態が印刷接続状態であることを示している。また、図８
では、スイッチＳＷ２の状態がＲＩＰ接続状態であることを示している。つまり、図８で
は、ＳＳＤ５が、プリンター２に接続している状態を示しており、ＳＳＤ６が、ＲＩＰ装
置３に接続している状態を示している。
【００８９】
また、図８では、ＳＳＤ５が領域Ａ１に旧印刷データを記憶しており、領域Ａ４にＳＳ
Ｄ６から移動させたＳＳＤ６印刷データである旧印刷データを記憶している状態を示して
いる。ＲＩＰ制御部３０は、ステップＳＡ７において、新印刷データの生成を実行すると
、適宜、ＳＳＤ６に生成した新印刷データを記憶させる。
【００９０】
図３のフローチャートＢの説明に戻り、プリンター２のプリンター制御部２０は、空き
記憶装置としてＳＳＤ６をＲＩＰ装置３に通知すると、ＳＳＤ６が、プリンター２からＲ
ＩＰ装置３に切り替えて接続したか否かを判別する（ステップＳＢ６）。例えば、プリン
ター制御部２０は、スイッチＳＷ２がユーザーによって操作され、印刷接続状態からＲＩ
Ｐ接続状態に移行し、ＳＳＤ６との接続が解消された場合、ＳＳＤ６がプリンター２から
ＲＩＰ装置３に接続が切り替えられたと判別する（ステップＳＢ６：ＹＥＳ）。
【００９１】
プリンター制御部２０は、ＳＳＤ６が、ＲＩＰ装置３と接続していないと判別した場合
（ステップＳＢ６：ＮＯ）、プリンター表示部２３により、ＳＳＤ６の切り替え接続が実
行されていないことを示す情報を報知する（ステップＳＢ７）。
【００９２】
このように、プリンター制御部２０は、空き記憶装置であるＳＳＤ６が、ＲＩＰ装置３
と接続していないと判別した場合、ＳＳＤ６の切り替え接続が実行されていないことを示
す情報を報知する。そのため、ユーザーは、空き記憶装置であるＳＳＤ６が、プリンター
２からＲＩＰ装置３に接続が切り替えられていないことを認識できる。
【００９３】
特に、空き記憶装置であるＳＳＤ６がプリンター２からＲＩＰ装置３に切り替えて接続
していない場合、ＲＩＰ装置３とプリンター２との両者が、切り替え接続していないこと
を示す情報を報知する。そのため、ユーザーが、空き記憶装置であるＳＳＤ６が、プリン
ター２からＲＩＰ装置３に接続が切り替えられていないことを認識できる蓋然性が高まる
。
【００９４】
ＲＩＰ制御部３０は、ステップＳＡ６の処理を実行すると、ＳＳＤ６の記憶領域ＫＡ６
の全てに生成した新印刷データを記憶させたか否かを判別する（ステップＳＡ８）。
【００９５】
ＲＩＰ制御部３０は、ＳＳＤ６の記憶領域ＫＡ６の全てに生成した新印刷データを記憶
させていないと判別した場合（ステップＳＡ８：ＮＯ）、処理をステップＳＡ７に戻す。
一方、ＲＩＰ制御部３０は、ＳＳＤ６の記憶領域ＫＡ６の全てに生成した新印刷データを
記憶させたと判別した場合（ステップＳＡ８：ＹＥＳ）、ＳＳＤ６をＲＩＰ装置３からプ
リンター２に接続を切り替える指示を示す情報を報知する（ステップＳＡ９）。
【００９６】
次いで、ＲＩＰ制御部３０は、新印刷データを記憶させたＳＳＤ６が、ＲＩＰ装置３か
らプリンター２に切り替えて接続したか否かを判別する（ステップＳＡ１０）。換言する
と、ＲＩＰ制御部３０は、新印刷データを記憶させたＳＳＤ６と、ＲＩＰ装置３との接続
が解消されたか否かを判別する。
【００９７】
ＲＩＰ制御部３０は、新印刷データを記憶させたＳＳＤ６が、プリンター２と接続して
いないと判別した場合（ステップＳＡ１０：ＮＯ）、新印刷データの生成を停止し、ＲＩ
Ｐ表示部３３により、新印刷データの生成を停止していることを示す情報を報知する（ス
テップＳＡ１１）。
【００９８】
このように、ＲＩＰ制御部３０は、新印刷データを記憶させたＳＳＤ６が、プリンター
２と接続していないと判別した場合、新印刷データの生成を停止するため、さらに生成す
る新印刷データ（１の新印刷データのうち、ＳＳＤ６が記憶する新印刷データ以外の新印
刷データ）がＳＳＤ５に記憶されないといった事態の発生を防止できる。また、ＲＩＰ制
御部３０が、新印刷データの生成を停止していることを示す情報を報知するため、ユーザ
ーは、ＲＩＰ装置３が新印刷データの生成を停止していることを認識できる。
【００９９】
図３のフローチャートＢの説明に戻り、プリンター制御部２０は、ＳＳＤ６が、ＲＩＰ
装置３と接続したと判別した場合（ステップＳＢ６：ＹＥＳ）、ＳＳＤ５が記憶する旧印
刷データに基づく印刷を終了したか否かを判別する（ステップＳＢ８）。換言すると、ス
テップＳＡ８において、プリンター制御部２０は、ＳＳＤ５の記憶領域ＫＡ５に何もデー
タが記憶されていない状態であるか否かを判別する。
【０１００】
プリンター制御部２０は、ＳＳＤ５が記憶する旧印刷データに基づく印刷を終了したと
判別した場合（ステップＳＢ８：ＹＥＳ）、新印刷データを記憶したＳＳＤ６が接続した
か否かを判別する（ステップＳＢ９）。
【０１０１】
プリンター制御部２０は、新印刷データを記憶したＳＳＤ６が接続していないと判別し
た場合（ステップＳＢ９：ＮＯ）、新印刷データを記憶したＳＳＤ６が接続していないこ
とを示す情報を、プリンター表示部２３により報知する（ステップＳＢ１０）。ここで、
プリンター制御部２０は、ＳＳＤ５が記憶する旧印刷データに基づく印刷を終了している
ことを示す情報も併せて報知すると以下に示す効果を奏する。すなわち、ユーザーは、旧
印刷データに基づく印刷が終了しており、ＳＳＤ６を接続しないと新印刷データに基づく
印刷をプリンター２が実行しないことを認識できる。
【０１０２】
一方、プリンター制御部２０は、新印刷データを記憶したＳＳＤ６が接続したと判別し
た場合（ステップＳＢ９：ＹＥＳ）、ＳＳＤ６が記憶する新印刷データに基づく印刷を印
刷部２４により実行する（ステップＳＢ１１）。
【０１０３】
次いで、プリンター制御部２０は、空き記憶装置としてＳＳＤ５を示す情報を、プリン
ターネットワーク通信部２５によりＲＩＰ装置３に送信することで、空き記憶装置を通知
する（ステップＳＢ１２）。
【０１０４】
図３のフローチャートＡに戻り、ＲＩＰ装置３のＲＩＰ制御部３０は、空き記憶装置と
してＳＳＤ５を示す情報を、ＲＩＰネットワーク通信部３４により受信する（ステップＳ
Ａ１２）。空き記憶装置としてＳＳＤ５を示す情報を受信すると、ＲＩＰ制御部３０は、
ＲＩＰ表示部３３により、ＳＳＤ５をプリンター２からＲＩＰ装置３に切り替えて接続す
ることを指示する情報を報知する（ステップＳＡ１３）。例えば、ＲＩＰ制御部３０は、
「スイッチＳＷ１を操作して、ＳＳＤ５をＲＩＰ装置３と接続してください」を示す情報
を、ＲＩＰ表示部３３が表示することで報知する。また、例えば、ＲＩＰ制御部３０は、
ＲＩＰ表示部３３が有するＬＥＤを所定の態様で、点灯、又は／及び、消灯を実行し、Ｓ
ＳＤ５をプリンター２からＲＩＰ装置３に切り替えて接続することを指示する情報を報知
してもよい。
【０１０５】
このように、ＲＩＰ制御部３０は、空き記憶装置としてＳＳＤ５を、プリンター２から
ＲＩＰ装置３に切り替えて接続することを指示する情報をＲＩＰ表示部３３により報知す
るため、上述した効果と同様の効果を奏する。
【０１０６】
次いで、ＲＩＰ制御部３０は、空き記憶装置としてプリンター２から通知されたＳＳＤ
５を、プリンター２からＲＩＰ装置３に切り替えて接続したか否かを判別する（ステップ
ＳＡ１４）。例えば、ＲＩＰ制御部３０は、スイッチＳＷ１がユーザーによって操作され
、印刷接続状態からＲＩＰ接続状態に移行し、ＳＳＤ５から接続したことを示す信号を第
１ＲＩＰ通信部３５が受信した場合、ＳＳＤ５がプリンター２からＲＩＰ装置３に切り替
えて接続したと判別する（ステップＳＡ１４：ＹＥＳ）。また、例えば、ＲＩＰ制御部３
０は、プリンター２からＳＳＤ５との接続が解消されたことを示す情報を、ＲＩＰネット
ワーク通信部３４により受信した場合、ＳＳＤ５がプリンター２からＲＩＰ装置３に切り
替えて接続したと判別する（ステップＳＡ１４：ＹＥＳ）。
【０１０７】
ＲＩＰ制御部３０は、空き記憶装置としてプリンター２から通知されたＳＳＤ５と、Ｒ
ＩＰ装置３とが接続していないと判別した場合（ステップＳＡ１４：ＮＯ）、新印刷デー
タの生成を再開せず、ＲＩＰ表示部３３により、新印刷データの生成を実行していないこ
とを示す情報を報知する（ステップＳＡ１５）。ＲＩＰ制御部３０は、ＲＩＰ表示部３３
により、新印刷データの生成を実行してないことを示す情報を報知すると、処理をステッ
プＳＡ１３に移行させ、ＳＳＤ５をプリンター２からＲＩＰ装置３に切り替えて接続する
ことを指示する情報を報知する。ここで、ＲＩＰ制御部３０は、新印刷データの生成を実
行してないことを示す情報と共に、ＳＳＤ５をプリンター２からＲＩＰ装置３に切り替え
て接続することを指示する情報を報知する。
【０１０８】
このように、ＲＩＰ制御部３０は、空き記憶装置としてプリンター２にから通知された
ＳＳＤ５と、ＲＩＰ装置３とが接続していないと判別した場合、新印刷データの生成を再
開していないため、生成した新印刷データをＳＳＤ５に記憶できないといった事態の発生
を防止できる。また、ＲＩＰ制御部３０が、新印刷データを生成していないことを示す情
報を報知するため、ユーザーは、ＲＩＰ装置３が新印刷データを生成していないことを認
識できる。
【０１０９】
一方、ＲＩＰ制御部３０は、空き記憶装置としてプリンター２から通知されたＳＳＤ５
と、ＲＩＰ装置３とが接続したと判別した場合（ステップＳＡ１４：ＹＥＳ）、新印刷デ
ータの生成を実行し、ＳＳＤ５に新印刷データを記憶させる（ステップＳＡ１６）。
【０１１０】
図９は、スイッチＳＷ１、及び、スイッチＳＷ２と、ＳＳＤ５の記憶領域ＫＡ５、及び
、ＳＳＤ６の記憶領域ＫＡ６との状態を示す図である。
【０１１１】
図９では、スイッチＳＷ１の状態がＲＩＰ接続状態であることを示している。また、図
９では、スイッチＳＷ２の状態が印刷接続状態であることを示している。つまり、図９で
は、ＳＳＤ５が、ＲＩＰ装置３に接続している状態を示しており、ＳＳＤ６が、プリンタ
ー２に接続している状態を示している。
【０１１２】
また、図９では、ＳＳＤ５が空き記憶装置としてＲＩＰ装置３に接続している状態を示
している。ＲＩＰ制御部３０は、ステップＳＡ１６において、１の新印刷データのうち、
ＳＳＤ６に記憶された新印刷データ以外の新印刷データを生成し、適宜、当該新印刷デー
タを空き記憶装置であるＳＳＤ５に記憶させる。
【０１１３】
図３のフローチャートＡの説明に戻り、ＲＩＰ制御部３０は、ステップＳＡ１６の処理
を実行すると、ＳＳＤ５の記憶領域ＫＡ５の全てに生成すべき新印刷データを記憶させた
か否かを判別する（ステップＳＡ１７）。
【０１１４】
ＲＩＰ制御部３０は、ＳＳＤ５の記憶領域ＫＡ５の全てに生成すべき新印刷データを記
憶させていないと判別した場合（ステップＳＡ１７：ＮＯ）、処理をステップＳＡ１６に
戻す。一方、ＲＩＰ制御部３０は、ＳＳＤ５の記憶領域ＫＡ５の全てに生成すべき新印刷
データを記憶させたと判別した場合（ステップＳＡ１７：ＹＥＳ）、ＳＳＤ５をＲＩＰ装
置３からプリンター２に切り替えて接続することを指示する情報を報知する（ステップＳ
Ａ１８）。
【０１１５】
次いで、ＲＩＰ制御部３０は、新印刷データを記憶させたＳＳＤ５が、ＲＩＰ装置３か
らプリンター２に切り替えて接続したか否かを判別する（ステップＳＡ１９）。ＲＩＰ制
御部３０は、新印刷データを記憶させたＳＳＤ５が、ＲＩＰ装置３からプリンター２に接
続が切り替えられたと判別した場合（ステップＳＡ１９：ＹＥＳ）、本処理を終了する。
一方、ＲＩＰ制御部３０は、新印刷データを記憶させたＳＳＤ５が、ＲＩＰ装置３からプ
リンター２に接続が切り替えられてないと判別した場合（ステップＳＡ１８：ＮＯ）、処
理をステップＳＡ１８に戻し、報知を継続する。
【０１１６】
図３のフローチャートＢの説明に戻り、プリンター２のプリンター制御部２０は、空き
記憶装置としてＳＳＤ５をＲＩＰ装置３に通知すると、ＳＳＤ５が、プリンター２からＲ
ＩＰ装置３に切り替えて接続したか否かを判別する（ステップＳＢ１３）。例えば、プリ
ンター制御部２０は、スイッチＳＷ１がユーザーによって操作され、印刷接続状態からＲ
ＩＰ接続状態に移行し、ＳＳＤ５との接続が解消された場合、ＳＳＤ５がプリンター２か
らＲＩＰ装置３に接続が切り替えられたと判別する（ステップＳＢ１３：ＹＥＳ）。
【０１１７】
プリンター制御部２０は、ＳＳＤ５が、ＲＩＰ装置３と接続していないと判別した場合
（ステップＳＢ１３：ＮＯ）、プリンター表示部２３により、ＳＳＤ５の切り替え接続が
実行されていないことを示す情報を報知する（ステップＳＢ１４）。そして、プリンター
制御部２０は、新印刷データに基づく印刷を実行していないことを示す情報を報知する（
ステップＳＢ１５）。
【０１１８】
これにより、プリンター２は、ＳＳＤ６が記憶する新印刷データに基づく印刷を実行し
た後、ＳＳＤ５が接続していないことに起因して新印刷データに基づく印刷が途中で停止
することを防止できる。また、ユーザーは、プリンター２が、新印刷データに基づく印刷
を実行していないことを認識できる。
【０１１９】
プリンター制御部２０は、ＳＳＤ５が、ＲＩＰ装置３と接続したと判別した場合（ステ
ップＳＢ１３：ＹＥＳ）、ＳＳＤ６が記憶する新印刷データに基づく印刷を終了したか否
かを判別する（ステップＳＢ１６）。換言すると、ステップＳＢ１６において、プリンタ
ー制御部２０は、ＳＳＤ６の記憶領域ＫＡ６に何もデータが記憶されていない状態である
か否かを判別する。
【０１２０】
プリンター制御部２０は、ＳＳＤ６が記憶する新印刷データに基づく印刷を終了したと
判別した場合（ステップＳＡ１６：ＹＥＳ）、新印刷データ（１の新印刷データのうちＳ
ＳＤ６が記憶した新印刷データ以外の新印刷データ）を記憶したＳＳＤ５が接続したか否
かを判別する（ステップＳＢ１７）。
【０１２１】
プリンター制御部２０は、新印刷データを記憶したＳＳＤ５が接続していないと判別し
た場合（ステップＳＢ１７：ＮＯ）、新印刷データを記憶したＳＳＤ５が接続していない
ことを示す情報を、プリンター表示部２３により報知する（ステップＳＢ１８）。
【０１２２】
一方、プリンター制御部２０は、新印刷データを記憶したＳＳＤ５が接続したと判別し
た場合（ステップＳＢ１７：ＹＥＳ）、ＳＳＤ５が記憶する新印刷データに基づく印刷を
印刷部２４により実行する（ステップＳＢ１９）。
【０１２３】
図１０は、スイッチＳＷ１、及び、スイッチＳＷ２と、ＳＳＤ５の記憶領域ＫＡ５、及
び、ＳＳＤ６の記憶領域ＫＡ６との状態を示す図である。
【０１２４】
図１０では、スイッチＳＷ１、及び、スイッチＳＷ２の状態が印刷接続状態であること
を示している。つまり、図１０では、ＳＳＤ５とＳＳＤ６とが、プリンター２に接続して
いる状態を示している。
【０１２５】
また、図１０では、ＲＩＰ装置３が生成した１の新印刷データを、ＳＳＤ６とＳＳＤ５
とが分けて記憶している状態を示している。詳述すると、図１０では、ＳＳＤ６の記憶領
域ＫＡ６に、１の新印刷データのうち記憶領域ＫＡ６に対応するデータサイズ分の新印刷
データがＳＳＤ６印刷データとして記憶されている。また、図１０では、ＳＳＤ５の記憶
領域ＫＡ５に、１の新印刷データのうち、記憶領域ＫＡ５のうち空き領域ＦＡ２を除く領
域Ａ５に対応するデータサイズ分の新印刷データがＳＳＤ５印刷データとして記憶されて
いる。つまり、図１０においてＳＳＤ５とＳＳＤ６とが分けて記憶する１の新印刷データ
は、記憶領域ＫＡ６と領域Ａ５とに対応するデータサイズの印刷データである。
【０１２６】
プリンター２は、ＳＳＤ５、及び、ＳＳＤ６が記憶する１の新印刷データに基づいて印
刷を実行する。
【０１２７】
このように、本実施形態の印刷システム１において、プリンター２は、ＳＳＤ５、及び
、ＳＳＤ６のうち、ＳＳＤ５の記憶領域ＫＡ５に空き領域ＦＡ１を有し、ＳＳＤ６が記憶
する旧印刷データ（ＳＳＤ６印刷データ）が、ＳＳＤ５の空き領域ＦＡ１に記憶可能であ
る場合、当該旧印刷データを、ＳＳＤ５の空き領域ＦＡ１に移動させる。そして、プリン
ター２は、ＳＳＤ６を空き記憶装置として、ＲＩＰ装置３に通知する。ＲＩＰ装置３は、
プリンター２と接続するＳＳＤ５、及び、ＳＳＤ６のうち、空き記憶装置として通知され
たＳＳＤ６と接続し、接続したＳＳＤ６に生成する新印刷データを記憶させる。
【０１２８】
これにより、ＲＩＰ装置３は、新印刷データを生成する際、空き記憶装置としてのＳＳ
Ｄ６の記憶領域ＫＡ６に、新印刷データを記憶させることができるため、旧印刷データに
基づく印刷が終了するまで、新印刷データの生成を停止させる必要がない。つまり、プリ
ンター２は、１の旧印刷データに基づく印刷の実行後、新印刷データに基づく印刷の実行
が速やかに実行できる。したがって、印刷システム１は、ＳＳＤ６に、効率よくＲＩＰ装
置３が生成する新印刷データを記憶させることができる。
【０１２９】
なお、図３の説明では、ＳＳＤ５を「１の記憶装置」に相当するものとし、ＳＳＤ６を
「他の記憶装置」に相当するものとした。しかしながら、ＳＳＤ６が「１の記憶装置」と
し、ＳＳＤ５が「他の記憶装置」としてもよく、ＳＳＤ６が空き領域を有していれば、上
述した同様の動作を実行することで、同様の効果を奏する。
【０１３０】
以上、説明したように、印刷システム１は、ＲＩＰ装置３（画像処理装置）と、ＲＩＰ
装置３が生成した印刷データを記憶するＳＳＤ５（記憶装置）、及び、ＳＳＤ６（記憶装
置）と、印刷を実行するプリンター２（印刷装置）とを備える。ＲＩＰ装置３は、プリン
ター２にＳＳＤ５、及び、ＳＳＤ６が接続し、接続するＳＳＤ５及びＳＳＤ６が１の旧印
刷データを分けて記憶する場合において、新印刷データを生成する際、ＳＳＤ５、及び、
ＳＳＤ６のうち空き記憶装置を、プリンター２に問い合わせる。プリンター２は、接続す
るＳＳＤ５及びＳＳＤ６のそれぞれの記憶領域を管理し、接続するＳＳＤ５及びＳＳＤ６
のうち空き記憶装置がある場合、空き記憶装置をＲＩＰ装置３に通知する。ＲＩＰ装置３
は、プリンター２に接続するＳＳＤ５及びＳＳＤ６のうち、プリンター２から通知された
空き記憶装置と接続し、接続した空き記憶装置に新印刷データを記憶させる。
【０１３１】
これにより、ＲＩＰ装置３が、プリンター２から通知された空き記憶装置と接続し、接
続した空き記憶装置に新印刷データを記憶させることで、プリンター２が新印刷データを
印刷する際に印刷の動作が停止することを抑制できため、印刷システム１は、新印刷デー
タを効率よくＳＳＤ５及びＳＳＤ６の少なくともいずれかに記憶させることができる。
【０１３２】
また、プリンター２は、ＳＳＤ５及びＳＳＤ６のうち、ＳＳＤ５（１の記憶装置）の記
憶領域ＫＡ５に空き領域ＦＡ１を有し、ＳＳＤ６（他の記憶装置）が記憶する印刷データ
が、ＳＳＤ５の空き領域ＦＡ１に記憶可能である場合、ＳＳＤ６が記憶する印刷データを
、ＳＳＤ５の空き領域ＦＡ１に移す。そして、プリンター２は、印刷データをＳＳＤ５の
空き領域ＦＡ１に移したＳＳＤ６を空き記憶装置として、ＲＩＰ装置３に通知する。ＲＩ
Ｐ装置３は、プリンター２と接続するＳＳＤ５及びＳＳＤ６のうち、プリンター２から空
き記憶装置として通知されたＳＳＤ６と接続し、接続したＳＳＤ６に新印刷データを記憶
させる。
【０１３３】
これにより、ＲＩＰ装置３は、新印刷データを生成する際、空き記憶装置としてのＳＳ
Ｄ６の記憶領域ＫＡ６に、新印刷データを記憶させることで、旧印刷データに基づく印刷
が終了するまで、新印刷データの生成を停止させる必要がない。したがって、印刷システ
ム１は、ＳＳＤ６に、効率よくＲＩＰ装置３が生成する新印刷データを記憶させることが
できる。つまり、プリンター２は、１の旧印刷データに基づく印刷を実行した後に、１の
旧印刷データの印刷中に生成された新印刷データの印刷を速やかに実行できる。
【０１３４】
なお、ここで、ＳＳＤ５を「１の記憶装置」に相当するものとし、ＳＳＤ６を「他の記
憶装置」に相当するものとしているが、ＳＳＤ６が「１の記憶装置」とし、ＳＳＤ５が「
他の記憶装置」としてもよく、同様の効果を奏する。
【０１３５】
また、ＲＩＰ装置３は、プリンター２に接続する空き記憶装置を、プリンター２からＲ
ＩＰ装置３（自身）に切り替えて接続することを指示する情報を報知する。
【０１３６】
これにより、ユーザーは、新印刷データを空き記憶装置に記憶させる際、空き記憶装置
をプリンター２からＲＩＰ装置３に切り替えて接続することが必要であることを認識でき
る。
【０１３７】
また、プリンター２は、空き記憶装置がプリンター２(自身)からＲＩＰ装置３に接続が
切り替えられなかった場合、新印刷データに基づく印刷を実行していないことを示す情報
を報知する。
【０１３８】
これにより、プリンター２は、空き記憶装置がプリンター２からＲＩＰ装置３に接続が
切り替えられなかった場合、新印刷データに基づく印刷が実行されないため、また、新印
刷データに基づく印刷を実行していないことを示す情報を報知するため、印刷システム１
は、プリンター２の新印刷データに基づく印刷が途中で停止することを抑制できる。また
、ユーザーは、プリンター２が、新印刷データに基づく印刷を実行していないことを認識
できる。
【０１３９】
また、ＲＩＰ装置３は、空き記憶装置がプリンター２からＲＩＰ装置３に接続が切り替
えられなかった場合、新印刷データの生成を実行せず、新印刷データの生成を実行してい
ないことを示す情報を報知する。
【０１４０】
これにより、ＲＩＰ装置３が、空き記憶装置がプリンター２からＲＩＰ装置３に接続が
切り替えられなかった場合、新印刷データの生成を実行せず、新印刷データの生成を実行
していないことを示す情報を報知するため、印刷システム１は、新印刷データを空き記憶
装置に記憶できないとった事態の発生を防止できる。また、ユーザーは、ＲＩＰ装置３が
、新印刷データの生成を実行していないことを認識できる。
【０１４１】
＜第２実施形態＞
次に、第２実施形態について説明する。
第２実施形態は、第１実施形態と比較して、プリンター２、及び、ＲＩＰ装置３の動作
が異なる。なお、第２実施形態の説明では、第２実施形態に係る印刷システム１の構成に
ついて第１実施形態と同じである。そのため、印刷システム１の構成については第１実施
形態と同一の符号を付し、その詳細な説明を省略する。
【０１４２】
図１１は、第２実施形態に係るプリンター２、及び、ＲＩＰ装置３の動作を示すフロー
チャートである。図１１においてフローチャートＣは、ＲＩＰ装置３の動作を示す。また
、図１１において、フローチャートＤは、プリンター２の動作を示す。
【０１４３】
図１１の説明では、ＳＳＤ５が「１の記憶装置」に相当し、ＳＳＤ６が「他の記憶装置
」に相当するものとする。
【０１４４】
また、図１１の各フローチャートの開始時点では、スイッチＳＷ１、及び、スイッチＳ
Ｗ２の状態と、ＳＳＤ５の記憶領域ＫＡ５、及び、ＳＳＤ６の記憶領域ＫＡ６の状態とが
、図４に示す状態を前提とする。
【０１４５】
つまり、図１１の各フローチャートの開始時点では、図４に示すように、スイッチＳＷ
１、及び、スイッチＳＷ２の状態が印刷接続状態であることを前提とする。また、図１１
のフローチャートの開始時点では、図４に示すように、ＳＳＤ５とＳＳＤ６とが１の旧印
刷データを分けて記憶することを前提とする。
【０１４６】
また、図１１の各フローチャートの開始時点では、図４に示すように、ＳＳＤ５とＳＳ
Ｄ６とがプリンター２に接続し、ＳＳＤ５とＳＳＤ６とが記憶する１の旧印刷データに基
づいて印刷を実行しているものとする。
【０１４７】
また、図１１の説明において、ＲＩＰ装置３が生成した旧印刷データ、及び、ＲＩＰ装
置３が生成する新印刷データは、ＳＳＤ５、及び、ＳＳＤ６のいずれかでは記憶可能でな
いデータサイズであって、ＳＳＤ５、及び、ＳＳＤ６により記憶可能なデータサイズであ
るとする。
【０１４８】
図１１のフローチャートＣの説明に戻り、ＲＩＰ装置３のＲＩＰ制御部３０は、新印刷
データの生成を開始するか否かを判別する（ステップＳＣ１）。
【０１４９】
ＲＩＰ制御部３０は、新印刷データの生成を開始すると判別した場合（ステップＳＣ１
：ＹＥＳ）、ＳＳＤ５とＳＳＤ６とのうち、空き記憶装置があるか否かの問い合わせを示
す問合せ情報を、ＲＩＰネットワーク通信部３４によりプリンター２に送信する（ステッ
プＳＣ２）。第２実施形態では、第１実施形態と異なり、少しでも空き領域を有する記憶
装置を、空き記憶装置とする。例えば、図４においてＳＳＤ５は、記憶領域ＫＡ５に空き
領域ＦＡ１を有している。したがって、この場合のＳＳＤ５は、第２実施形態においては
空き記憶装置に相当する。
【０１５０】
図１１のフローチャートＤに示すように、プリンター２のプリンター制御部２０は、Ｓ
ＳＤ５、及び、ＳＳＤ６に分けて記憶する１の印刷データに基づく印刷を実行している間
、ＳＳＤ５の記憶領域ＫＡ５、及び、ＳＳＤ６の記憶領域ＫＡ６の管理を実行する（ステ
ップＳＤ１）。
【０１５１】
図１１に示すように、ＲＩＰ装置３から問合せ情報が送信されると、プリンター制御部
２０は、プリンターネットワーク通信部２５により、問合せ情報を受信する（ステップＳ
Ｄ２）。
【０１５２】
次いで、プリンター制御部２０は、ＳＳＤ５の記憶領域ＫＡ５、及び、ＳＳＤ６の記憶
領域ＫＡ６の管理に基づいて、空き記憶装置としてＳＳＤ５を示す情報を、プリンターネ
ットワーク通信部２５によりＲＩＰ装置３に送信することで、空き記憶装置を通知する（
ステップＳＤ３）。このように空き記憶装置がＳＳＤ５であると一意に特定可能であるの
は、第２実施形態では、空き領域を多く有する記憶装置を、空き記憶装置としているため
である。
【０１５３】
図１１のフローチャートＣに示すように、ＲＩＰ装置３は、空き記憶装置としてＳＳＤ
５を示す情報を、ＲＩＰネットワーク通信部３４により受信する（ステップＳＣ３）。空
き記憶装置としてＳＳＤ５を示す情報を受信すると、ＲＩＰ制御部３０は、ＲＩＰ表示部
３３により、ＳＳＤ５をプリンター２からＲＩＰ装置３に接続を切り替えることを指示す
る情報を報知する（ステップＳＣ４）。これにより、第１実施形態で説明した効果と同様
の効果を奏する。
【０１５４】
次いで、ＲＩＰ制御部３０は、空き記憶装置としてプリンター２から通知されたＳＳＤ
５を、プリンター２からＲＩＰ装置３に切り替えて接続したか否かを判別する（ステップ
Ｃ５）。
【０１５５】
ＲＩＰ制御部３０は、空き記憶装置としてプリンター２から通知されたＳＳＤ５と、Ｒ
ＩＰ装置３とが接続していないと判別した場合（ステップＳＣ５：ＮＯ）、新印刷データ
の生成を実行せず、ＲＩＰ表示部３３により、新印刷データの生成を実行していないこと
を示す情報を報知する（ステップＳＣ６）。ＲＩＰ制御部３０は、ＲＩＰ表示部３３によ
り、新印刷データの生成を実行してないことを示す情報を報知すると、処理をステップＳ
Ｃ４に移行させ、ＳＳＤ５をプリンター２からＲＩＰ装置３に切り替えて接続することを
指示する情報を報知する。ここで、ＲＩＰ制御部３０は、新印刷データの生成を実行して
ないことを示す情報と共に、ＳＳＤ５をプリンター２からＲＩＰ装置３に切り替えて接続
することを指示する情報を報知する。これにより、第１実施形態で説明した効果と同様の
効果を奏する。
【０１５６】
一方、ＲＩＰ制御部３０は、空き記憶装置としてプリンター２から通知されたＳＳＤ５
と、ＲＩＰ装置３とが接続したと判別した場合（ステップＳＣ５：ＹＥＳ）、新印刷デー
タの生成を実行し、ＳＳＤ５の空き領域ＦＡ１に新印刷データを記憶させる（ステップＳ
Ｃ７）。
【０１５７】
図１２は、スイッチＳＷ１、及び、スイッチＳＷ２と、ＳＳＤ５の記憶領域ＫＡ５、及
び、ＳＳＤ６の記憶領域ＫＡ６との状態を示す図である。
【０１５８】
図１２では、スイッチＳＷ１の状態がＲＩＰ接続状態であることを示している。また、
図１２では、スイッチＳＷ２の状態が印刷接続状態であることを示している。つまり、図
１２では、ＳＳＤ５が、ＲＩＰ装置３に接続している状態を示しており、ＳＳＤ６が、プ
リンター２に接続している状態を示している。
【０１５９】
また、図１２では、ＳＳＤ６の記憶領域ＫＡ６に旧印刷データが記憶されており、ＳＳ
Ｄ５の領域Ａ１に旧印刷データが記憶されている状態を示している。つまり、旧印刷デー
タは、記憶領域ＫＡ６と領域Ａ１とに対応するデータサイズの印刷データである。また、
図１２では、ＳＳＤ５の記憶領域ＫＡ６が空き領域ＦＡ１を有している状態を示す。ＲＩ
Ｐ制御部３０は、ステップＳＣ７において、生成する１の印刷データのうち、ＳＳＤ５の
空き領域ＦＡ１に対応するデータサイズ分の新印刷データの生成し、ＳＳＤ５の空き領域
ＦＡ１に記憶させる。
【０１６０】
図１１のフローチャートＤの説明に戻り、プリンター２のプリンター制御部２０は、空
き記憶装置としてＳＳＤ５を示す情報をＲＩＰ装置３に通知すると、ＳＳＤ５が、プリン
ター２からＲＩＰ装置３に切り替えて接続したか否かを判別する（ステップＳＤ４）。
【０１６１】
プリンター制御部２０は、ＳＳＤ５が、ＲＩＰ装置３と接続していないと判別した場合
（ステップＳＤ４：ＮＯ）、プリンター表示部２３により、ＳＳＤ５の切り替え接続が実
行されていないことを示す情報を報知する（ステップＳＤ５）。これにより、第１実施形
態で説明した効果と同様の効果を奏する。
【０１６２】
図１１のフローチャートＣの説明に戻り、ＲＩＰ装置３のＲＩＰ制御部３０は、ステッ
プＳＣ７の処理を実行すると、ＳＳＤ５の記憶領域ＫＡ５の空き領域ＦＡ１に新印刷デー
タを記憶させたか否かを判別する（ステップＳＣ８）。
【０１６３】
ＲＩＰ制御部３０は、ＳＳＤ５の記憶領域ＫＡ５の空き領域ＦＡ１に、空き領域ＦＡ１
に対応するデータサイズ分の新印刷データを記憶させていないと判別した場合（ステップ
ＳＣ８：ＮＯ）、処理をステップＳＣ７に戻す。一方、ＲＩＰ制御部３０は、ＳＳＤ５の
記憶領域ＫＡ５の空き領域ＦＡ１に新印刷データを記憶させたと判別した場合（ステップ
ＳＣ８：ＹＥＳ）、ＳＳＤ５をＲＩＰ装置３からプリンター２に接続を切り替えることを
指示する情報を報知する（ステップＳＣ９）。
【０１６４】
次いで、ＲＩＰ制御部３０は、空き領域ＦＡ１に新印刷データを記憶させたＳＳＤ５が
、ＲＩＰ装置３からプリンター２に接続が切り替えられたか否かを判別する（ステップＳ
Ｃ１０）。
【０１６５】
ＲＩＰ制御部３０は、空き領域ＦＡ１に新印刷データを記憶させたＳＳＤ５が、プリン
ター２と接続していないと判別した場合（ステップＳＣ１０：ＮＯ）、新印刷データの生
成を停止し、ＲＩＰ表示部３３により、新印刷データの生成を停止していることを示す情
報を報知する（ステップＳＣ１１）。これにより、第１実施形態で説明した効果と同様の
効果を奏する。
【０１６６】
図１１のフローチャートＤの説明に戻り、プリンター制御部２０は、ＳＳＤ５が、ＲＩ
Ｐ装置３と接続したと判別した場合（ステップＳＤ４：ＹＥＳ）、ＳＳＤ６が記憶する旧
印刷データに基づく印刷を終了したか否かを判別する（ステップＳＤ６）。
【０１６７】
プリンター制御部２０は、ＳＳＤ６が記憶する旧印刷データに基づく印刷を終了したと
判別した場合（ステップＳＤ６：ＹＥＳ）、空き領域ＦＡ１に新印刷データを記憶したＳ
ＳＤ５が接続したか否かを判別する（ステップＳＤ７）。
【０１６８】
プリンター制御部２０は、新印刷データを記憶したＳＳＤ５が接続していないと判別し
た場合（ステップＳＤ７：ＮＯ）、新印刷データを記憶したＳＳＤ５が接続していないこ
とを示す情報を、プリンター表示部２３により報知する（ステップＳＤ８）。これにより
、第１実施形態で説明した効果と同様の効果を奏する。
【０１６９】
一方、プリンター制御部２０は、空き領域ＦＡ１に新印刷データを記憶したＳＳＤ５が
接続したと判別した場合（ステップＳＤ７：ＹＥＳ）、ＳＳＤ５が記憶する印刷データに
基づく印刷を印刷部２４により実行する（ステップＳＤ９）。ステップＳＤ９では、プリ
ンター制御部２０は、まず、ＳＳＤ５から旧印刷データを読み出し、旧印刷データに基づ
く印刷を実行する。
【０１７０】
次いで、プリンター制御部２０は、空き記憶装置としてＳＳＤ６を示す情報を、プリン
ターネットワーク通信部２５によりＲＩＰ装置３に送信することで、空き記憶装置を通知
する（ステップＳＤ１０）。なお、ステップＳＤ６の処理で、「ＹＥＳ」と判別した場合
に、ステップＳＤ１０に移行するため、ステップＳＤ１０においてＳＳＤ６は、記憶領域
ＫＡ６に何のデータも記憶していない状態である。
【０１７１】
図１１のフローチャートＣに戻り、ＲＩＰ装置３のＲＩＰ制御部３０は、空き記憶装置
としてＳＳＤ６を示す情報を、ＲＩＰネットワーク通信部３４により受信する（ステップ
ＳＣ１２）。空き記憶装置としてＳＳＤ６を示す情報を受信すると、ＲＩＰ制御部３０は
、ＲＩＰ表示部３３により、ＳＳＤ６をプリンター２からＲＩＰ装置３に切り替えて接続
することを指示する情報を報知する（ステップＳＣ１３）。これにより、第１実施形態で
説明した効果と同様の効果を奏する。
【０１７２】
次いで、ＲＩＰ制御部３０は、空き記憶装置としてプリンター２から通知されたＳＳＤ
６を、プリンター２からＲＩＰ装置３に切り替えて接続したか否かを判別する（ステップ
ＳＣ１４）。
【０１７３】
ＲＩＰ制御部３０は、空き記憶装置としてプリンター２から通知されたＳＳＤ６と、Ｒ
ＩＰ装置３とが接続していないと判別した場合（ステップＳＣ１４：ＮＯ）、新印刷デー
タの生成を再開せず、ＲＩＰ表示部３３により、新印刷データの生成を実行していないこ
とを報知する（ステップＳＣ１５）。ＲＩＰ制御部３０は、ＲＩＰ表示部３３により、新
印刷データの生成を実行してないことを示す情報を報知すると、処理をステップＳＣ１３
に移行させ、ＳＳＤ６をプリンター２からＲＩＰ装置３に切り替えて接続することを指示
する情報を報知する。ここで、ＲＩＰ制御部３０は、新印刷データの生成を実行してない
ことを示す情報と共に、ＳＳＤ６をプリンター２からＲＩＰ装置３に切り替えて接続する
ことを指示する情報を報知する。これにより、第１実施形態で説明した効果と同様の効果
を奏する。
【０１７４】
一方、ＲＩＰ制御部３０は、空き記憶装置としてプリンター２から通知されたＳＳＤ６
と、ＲＩＰ装置３とが接続したと判別した場合（ステップＳＣ１４：ＹＥＳ）、新印刷デ
ータの生成を再開し、ＳＳＤ６に新印刷データを記憶させる（ステップＳＣ１６）。ステ
ップＳＣ１６において、ＲＩＰ制御部３０は、生成すべき１の新印刷データのうち、ＳＳ
Ｄ５の空き領域ＦＡ１に対応するデータサイズ分の新印刷データ以外の新印刷データを生
成する。
【０１７５】
図１３は、スイッチＳＷ１、及び、スイッチＳＷ２と、ＳＳＤ５の記憶領域ＫＡ５、及
び、ＳＳＤ６の記憶領域ＫＡ６との状態を示す図である。
【０１７６】
図１３では、スイッチＳＷ１の状態が印刷接続状態であることを示している。また、図
１３では、スイッチＳＷ２の状態がＲＩＰ接続状態であることを示している。つまり、図
１３では、ＳＳＤ５が、プリンター２に接続している状態を示しており、ＳＳＤ６が、Ｒ
ＩＰ装置３に接続している状態を示している。
【０１７７】
また、図１３では、ＳＳＤ６が空き記憶装置（何も記憶領域ＫＡ６に記憶していない記
憶装置）としてＲＩＰ装置３に接続している状態を示している。また、図１３では、ＳＳ
Ｄ５が、領域Ａ１に旧印刷データと領域Ａ６に新印刷データとを記憶している状態を示し
ている。ＲＩＰ制御部３０は、ステップＳＣ１６において、生成すべき１の新印刷データ
のうち、ＳＳＤ５の領域Ａ６（空き領域ＦＡ１）に対応するデータサイズ分の新印刷デー
タ以外の新印刷データを生成し、適宜、当該新印刷データを空き記憶装置であるＳＳＤ６
に記憶させる。
【０１７８】
図１１のフローチャートＣの説明に戻り、ＲＩＰ制御部３０は、ステップＳＣ１６の処
理を実行すると、ＳＳＤ６の記憶領域ＫＡ６に生成すべき新印刷データを記憶させたか否
かを判別する（ステップＳＣ１７）。
【０１７９】
ＲＩＰ制御部３０は、ＳＳＤ６の記憶領域ＫＡ６に生成すべき新印刷データを記憶させ
ていないと判別した場合（ステップＳＣ１７：ＮＯ）、処理をステップＳＣ１６に戻す。
一方、ＲＩＰ制御部３０は、ＳＳＤ６の記憶領域ＫＡ６に生成すべき新印刷データを記憶
させたと判別した場合（ステップＳＣ１７：ＹＥＳ）、ＳＳＤ６をＲＩＰ装置３からプリ
ンター２に接続を切り替えることを指示する情報を報知する（ステップＳＣ１８）。
【０１８０】
次いで、ＲＩＰ制御部３０は、新印刷データを記憶させたＳＳＤ６が、ＲＩＰ装置３か
らプリンター２に接続が切り替えられたか否かを判別する（ステップＳＣ１９）。プリン
ター制御部２０は、新印刷データを記憶させたＳＳＤ６が、ＲＩＰ装置３からプリンター
２に接続が切り替えられたと判別した場合（ステップＳＣ１９：ＹＥＳ）、本処理を終了
する。
【０１８１】
図１１のフローチャートＤの説明に戻り、プリンター２のプリンター制御部２０は、空
き記憶装置としてＳＳＤ６をＲＩＰ装置３に通知すると、ＳＳＤ６が、プリンター２から
ＲＩＰ装置３に接続が切り替えられしたか否かを判別する（ステップＳＤ１１）。
【０１８２】
プリンター制御部２０は、ＳＳＤ６が、ＲＩＰ装置３と接続していないと判別した場合
（ステップＳＤ１１：ＮＯ）、プリンター表示部２３により、ＳＳＤ６の切り替え接続が
実行されていないことを示す情報を報知する（ステップＳＤ１２）。そして、プリンター
制御部２０は、ＳＳＤ５が記憶する印刷データのうち新印刷データに基づく印刷を実行中
か否かを判別する（ステップＳＤ１３）。プリンター制御部２０は、ＳＳＤ５が記憶する
印刷データのうち新印刷データに基づく印刷を実行中であると判別した場合（ステップＳ
Ｄ１３：ＹＥＳ）、新印刷データに基づく印刷を実行していないことを示す情報を報知す
る（ステップＳＤ１４）。これにより、第１実施形態で説明した効果と同様の効果を奏す
る。
【０１８３】
プリンター制御部２０は、ＳＳＤ６が、ＲＩＰ装置３と接続したと判別した場合（ステ
ップＳＤ１１：ＹＥＳ）、ＳＳＤ５が記憶する印刷データ（旧印刷データ、及び、新印刷
データ）に基づく印刷を終了したか否かを判別する（ステップＳＤ１５）。
【０１８４】
プリンター制御部２０は、ＳＳＤ５が記憶する印刷データ（旧印刷データ、及び、新印
刷データ）に基づく印刷を終了したと判別した場合（ステップＳＤ１５：ＹＥＳ）、新印
刷データ（１の新印刷データのうちＳＳＤ５の空き領域ＦＡ１に対応する新印刷データ以
外の新印刷データ）を記憶したＳＳＤ６が接続したか否かを判別する（ステップＳＤ１６
）。
【０１８５】
プリンター制御部２０は、新印刷データを記憶したＳＳＤ６が接続していないと判別し
た場合（ステップＳＤ１６：ＮＯ）、新印刷データを記憶したＳＳＤ６が接続していない
ことを示す情報を、プリンター表示部２３により報知する（ステップＳＤ１７）。
【０１８６】
一方、プリンター制御部２０は、新印刷データを記憶したＳＳＤ６が接続したと判別し
た場合（ステップＳＤ１６：ＹＥＳ）、ＳＳＤ６が記憶する新印刷データに基づく印刷を
印刷部２４により実行する（ステップＳＤ１８）。
【０１８７】
以上、説明したように、第２実施形態では、プリンター２は、ＳＳＤ５（１の記憶祖装
置）及びＳＳＤ６（他の記憶装置）のうち、ＳＳＤ５を空き記憶装置としてＲＩＰ装置３
に通知する。ＲＩＰ装置３は、プリンター２に接続するＳＳＤ５及びＳＳＤ６のうち、プ
リンター２から空き記憶装置として通知されたＳＳＤ５と接続し、新印刷データのうち、
ＳＳＤ５の空き領域ＦＡ１分の新印刷データを生成して接続したＳＳＤ５に記憶させる。
プリンター２は、ＳＳＤ５が空き領域ＦＡ１分の新印刷データを記憶した後、ＳＳＤ６の
記憶領域ＫＡ６が空き領域になった場合、ＳＳＤ６を空き記憶装置としてＲＩＰ装置３に
通知する。ＲＩＰ装置３は、プリンター２に接続するＳＳＤ５及びＳＳＤ６のうち、空き
記憶装置として通知されたＳＳＤ６と接続し、新印刷データのうち、ＳＳＤ５の空き領域
ＦＡ１分の新印刷データ以外の新印刷データを生成して、接続したＳＳＤ６に記憶させる
。
【０１８８】
このように、ＲＩＰ装置が、新印刷データのうち、ＳＳＤ５の空き領域ＦＡ１分の新印
刷データを生成してＳＳＤ５に記憶させ、ＳＳＤ６が空き記憶装置として通知された場合
、新印刷データのうち、ＳＳＤ５に記憶させた新印刷データ以外の新印刷データをＳＳＤ
６に記憶させる。したがって、ＲＩＰ装置３は、旧印刷データに基づく印刷が終了するま
で、新印刷データの生成を停止させる必要がなく、プリンター２は、１の旧印刷データに
基づく印刷の実行後、新印刷データに基づく印刷の実行が速やかに実行できるようになる
。したがって、印刷システム１は、ＲＩＰ装置３が生成する新印刷データを、効率よくＳ
ＳＤ５及びＳＳＤ６に記憶させることができる。
【０１８９】
なお、ここで、ＳＳＤ５を「１の記憶装置」に相当するものとし、ＳＳＤ６を「他の記
憶装置」に相当するものとしているが、ＳＳＤ６が「１の記憶装置」とし、ＳＳＤ５が「
他の記憶装置」としてもよく、この場合でも、同様の効果を奏する。
【０１９０】
＜第３実施形態＞
次に、第３実施形態について説明する。
【０１９１】
第３実施形態は、第１実施形態、及び、第２実施形態と比較して、印刷システム１の構
成が異なる。すなわち、第３実施形態に係る印刷システム１は、ＳＳＤ５、ＳＳＤ６、ス
イッチＳＷ１、及び、スイッチＳＷ２を備えるプリンター２と、ＲＩＰ装置３とを備える
。この構成の場合、ＳＳＤ５、及び、ＳＳＤ６は、複数の記憶部に相当する。また、スイ
ッチＳＷ１、及び、スイッチＳＷ２のそれぞれは、切替部に相当する。なお、スイッチＳ
Ｗ１とスイッチＳＷ２とのそれぞれの接続先は、第１実施形態、及び、第２実施形態と同
じである。
【０１９２】
第３実施形態における印刷装置１のプリンター制御部２０（制御部）は、印刷装置１が
備えるＳＳＤ５及びＳＳＤ６のうち、記憶領域に空き領域を有する空き記憶部を特定する
。なお、ＳＳＤ５が空き領域を有する場合、ＳＳＤ５が空き記憶部となり、ＳＳＤ６が空
き領域を有する場合、ＳＳＤ６が空き記憶部となる。そして、プリンター制御部２０は、
ＳＳＤ５とＳＳＤ６とが１の旧印刷データを分けて記憶する場合において、ＲＩＰ装置３
が新印刷データを生成する際に、特定した空き記憶部の接続先がＲＩＰ装置３となるよう
に、スイッチＳＷ１又はスイッチＳＷ２を切り替える。例えば、プリンター制御部２０は
、ＳＳＤ５を空き記憶部として特定した場合、ＳＳＤ５の接続先がＲＩＰ装置３となるよ
うにスイッチＳＷ１により切り替える。そして、プリンター制御部２０は、空き記憶部の
接続先をＲＩＰ装置３に切り替えて、空き記憶部にＲＩＰ装置３により生成される新印刷
データを記憶させる。
【０１９３】
このように印刷装置１がＳＤＤ５、ＳＳＤ６、スイッチＳＷ１、及び、スイッチＳＷ２
を備える構成でも、上述した効果と同様の効果を奏する。
【０１９４】
上述した各実施形態は、あくまでも本発明の一態様を示すものであり、本発明の範囲内
で任意に変形及び応用が可能である。
【０１９５】
上述した各実施形態では、スイッチＳＷ１、及び、スイッチＳＷ２がユーザーの操作に
基づいて状態を変えるスイッチを例示した。しかしながら、スイッチＳＷ１、及び、スイ
ッチＳＷ２は、プリンター２又はＲＩＰ装置３の制御により状態を変えるスイッチとして
構成されてもよい。この場合、ユーザーへの報知の処理が不要となり、プリンター２及び
ＲＩＰ装置３の処理負荷が低減する。
【０１９６】
また、例えば、上述した印刷システム１の制御方法（印刷システムの制御方法）が、プ
リンター２、及び、ＲＩＰ装置３が備えるコンピューターを用いて実現される場合、本発
明を、上記制御方法を実現するためにコンピューターが実行するプログラム、このプログ
ラムを前記コンピューターで読み取り可能に記録した記録媒体、或いは、このプログラム
を伝送する伝送媒体の態様で構成することも可能である。上記記録媒体としては、磁気的
、光学的記録媒体又は半導体メモリーデバイスを用いることができる。具体的には、フレ
キシブルディスク、ＨＤＤ（Hard Disk Drive）、ＣＤ−ＲＯＭ（Compact Disk Read Onl
y Memory）、ＤＶＤ（Digital Versatile Disk）、Ｂｌｕ−ｒａｙ（登録商標）  Ｄｉｓ
ｃ、光磁気ディスク、フラッシュメモリー、カード型記録媒体等の可搬型の、或いは固定
式の記録媒体が挙げられる。また、上記記録媒体は、プリンター２、及び、ＲＩＰ装置３
が備える内部記憶装置であるＲＯＭ（Read Only Memory）、ＨＤＤ等の不揮発性記憶装置
であってもよい。
【０１９７】
また、例えば、図３、及び、図１１の処理単位は、プリンター２、及び、ＲＩＰ装置３
の処理を理解容易にするために、主な処理内容に応じて分割したものであり、処理単位の
分割の仕方や名称によって、本発明が限定されることはない。プリンター２、及び、ＲＩ
Ｐ装置３の処理は、処理内容に応じて、されに多くの処理単位に分割してもよい。また、
１つの処理単位がさらに多くの処理を含むように分割してもよい。
【０１９８】
また、図２に示した各機能部は機能的構成を示すものであって、具体的な実装形態は特
に限定されない。つまり、必ずしも各機能部に個別に対応するハードウェアが実装される
必要はなく、一つのプロセッサーがプログラムを実行することで複数の機能部の機能を実
現する構成とすることも勿論可能である。また、上述した実施形態においてソフトウェア
で実現される機能の一部をハードウェアとしてもよく、或いは、ハードウェアで実現され
る機能の一部をソフトウェアで実現してもよい。その他、プリンター２、及び、ＲＩＰ装
置３の他の各部の具体的な細部構成についても、本発明の趣旨を逸脱しない範囲で任意に
変更可能である。
【符号の説明】
【０１９９】
１…印刷システム、２…プリンター（印刷装置）、３…ＲＩＰ装置（画像処理装置）、
４…ホストコンピューター、５…ＳＳＤ（記憶装置）（記憶部）、６…ＳＳＤ（記憶装置
）(記憶部)、２０…プリンター制御部（制御部）、２４…印刷部、Ｎ…ネットワーク、Ｓ
Ｗ１…スイッチ（切替部）、ＳＷ２…スイッチ（切替部）、Ｔ１１…端子、Ｔ１２…端子
、Ｔ１３…端子、Ｔ２１…端子、Ｔ２２…端子、Ｔ２３…端子、Ｓ１…操作部、Ｓ２…操
作部。
【図１】
2018158462.tif 000003
【図２】
2018158462.tif 000004
【図３】
2018158462.tif 000005
【図４】
2018158462.tif 000006
【図５】
2018158462.tif 000007
【図６】
2018158462.tif 000008
【図７】
2018158462.tif 000009
【図８】
2018158462.tif 000010
【図９】
2018158462.tif 000011
【図１０】
2018158462.tif 000012
【図１１】
2018158462.tif 000013
【図１２】
2018158462.tif 000014
【図１３】
2018158462.tif 000015